(57)【要約】ユーザのプロファイルに基づいて自然言語クエリのためのカスタマイズされた補助機能を実行することによって従来の会話システムにおける欠点に対処するためのシステムおよび方法が記載されている。いくつかの側面では、本システムおよび方法は、メディアアセットに関するユーザクエリを受信し、ユーザのクエリに合致するユーザのプロファイル内のクエリテンプレートを判定し、ユーザのクエリに応答することに加え、クエリテンプレートに対応する補助機能を識別して実行する。ユーザのプロファイルは、双方向メディアガイダンスアプリケーションのユーザの使用パターンに基づいてカスタマイズされている。ユーザの使用パターンを監視し、補助機能を実行すべきユーザの自然言語クエリと併せてユーザの動作から学習することによって、双方向メディアガイダンスアプリケーションはより活発でより効率のよいユーザ体験を提供し得る。
2019527385.tif 000002
【特許請求の範囲】
【請求項１】
双方向メディアガイダンスアプリケーションに提示される自然言語クエリのための補助機能を実行する方法であって、
ユーザからメディアアセットに関するクエリを受信することと、
クエリテンプレートが前記ユーザのクエリに合致するかどうかを判定することと、
前記クエリテンプレートが前記ユーザのクエリに合致すると判定したことに応答して、前記クエリテンプレートに対応する補助機能を識別して実行することと
を含む、方法。
【請求項２】
双方向メディアガイダンスアプリケーションに提示される自然言語クエリのための補助機能を実行する方法であって、
ユーザからメディアアセットに関するクエリを受信することと、
前記クエリに応答して前記メディアアセットを表示のために生成することと、
前記双方向メディアガイダンスアプリケーションのユーザの使用パターンを示すユーザプロファイルを読み出すことと、
前記ユーザプロファイルが前記ユーザのクエリに合致するクエリテンプレートを含むかどうかを判定することと、
前記ユーザプロファイルが前記ユーザのクエリに合致するクエリテンプレートを含むと判定したことに応答して、
前記クエリテンプレートに対応する補助機能を識別し、
前記クエリに応答して前記メディアアセットを表示のために生成することに続いて前記補助機能を実行する
ことと
を含む、方法。
【請求項３】
前記方法は、前記メディアアセットおよび前記補助機能の実行からの出力を含む双方向メディアガイダンス画面を表示のために生成することをさらに含む、請求項２に記載の方法。
【請求項４】
前記補助機能は、前記メディアアセットが利用できるコンテンツソースを識別する検索機能を備え、前記補助機能の実行からの出力を含む前記双方向メディアガイダンス画面を表示のために生成することは、前記メディアアセットおよび前記メディアアセットが利用できるコンテンツソースを含む前記双方向メディアガイダンス画面を表示のために生成することを含む、請求項３に記載の方法。
【請求項５】
前記補助機能は、前記メディアアセットに関連するガイダンス特徴を識別するための検索機能を備え、前記補助機能の実行からの出力を含む前記双方向メディアガイダンス画面を表示のために生成することは、前記メディアアセットおよび前記メディアアセットに関連するガイダンス特徴を表示のために生成することを含む、請求項３に記載の方法。
【請求項６】
前記ガイダンス特徴は、前記メディアアセットの録画要求である、請求項５に記載の方法。
【請求項７】
前記ユーザプロファイルが前記ユーザのクエリに合致するクエリテンプレートを含むかどうかを判定することは、
前記クエリ内の１つ以上のトークンを識別することと、
前記ユーザプロファイルが前記１つ以上のトークンの少なくとも一部に合致するクエリテンプレートを含むかどうかを判定することと
を含む、請求項２に記載の方法。
【請求項８】
前記双方向メディアガイダンスアプリケーションのユーザの使用パターンを示すユーザプロファイルは、複数のクエリテンプレートおよび対応する複数の補助機能を含み、前記クエリテンプレートに対応する補助機能を識別することは、前記ユーザプロファイルから前記クエリテンプレートに対応する補助機能を識別することを含む、請求項２に記載の方法。
【請求項９】
前記双方向メディアガイダンスアプリケーションのユーザの使用パターンを示すユーザプロファイルは、複数のクエリテンプレートを含み、遠隔データベースは、前記複数のクエリテンプレートに対応する複数の補助機能を含み、前記クエリテンプレートに対応する補助機能を識別することは、前記遠隔データベースから前記クエリテンプレートに対応する補助機能を識別することを含む、請求項２に記載の方法。
【請求項１０】
前記クエリテンプレートは第１のクエリテンプレートであり、前記補助機能は第１の補助機能であり、
前記方法は、
前記ユーザプロファイルが前記ユーザのクエリに合致するクエリテンプレートを含まないと判定したことに応答して、
前記双方向メディアガイダンスアプリケーションの複数のユーザの汎用化された使用パターンを示す汎用プロファイルを読み出し、
前記汎用プロファイルが前記ユーザのクエリに合致する第２のクエリテンプレートを含むかどうかを判定する
ことをさらに含む、請求項２に記載の方法。
【請求項１１】
前記方法は、
前記汎用プロファイルが前記ユーザのクエリに合致する第２のクエリテンプレートを含むと判定したことに応答して、
前記第２のクエリテンプレートに対応する第２の補助機能を識別し、
前記クエリに応答して前記メディアアセットを表示のために生成することに続いて前記第２の補助機能を実行する
ことと、
前記メディアアセットおよび前記第２の補助機能の実行からの出力を含む双方向メディアガイダンス画面を表示のために生成することと
をさらに含む、請求項１０に記載の方法。
【請求項１２】
双方向メディアガイダンスアプリケーションに提示される自然言語クエリのための補助機能を実行するシステムであって、
ユーザ入力デバイスと、
ユーザプロファイルを記憶しているメモリと、
制御回路であって、前記制御回路は、
前記ユーザ入力デバイスからメディアアセットに関するクエリを受信し、
前記クエリに応答して前記メディアアセットを表示のために生成し、
前記双方向メディアガイダンスアプリケーションのユーザの使用パターンを示すユーザプロファイルを前記メモリから読み出し、
前記ユーザプロファイルが前記ユーザのクエリに合致するクエリテンプレートを含むかどうかを判定し、
前記ユーザプロファイルが前記ユーザのクエリに合致するクエリテンプレートを含むと判定したことに応答して、
前記クエリテンプレートに対応する補助機能を識別し、
前記クエリに応答して前記メディアアセットを表示のために生成することに続いて前記補助機能を実行する
ように構成された、制御回路と
を備える、システム。
【請求項１３】
前記制御回路は、
前記メディアアセットおよび前記補助機能の実行からの出力を含む双方向メディアガイダンス画面を表示のために生成するようにさらに構成されている、請求項１２に記載のシステム。
【請求項１４】
前記補助機能は、前記メディアアセットが利用できるコンテンツソースを識別するための検索機能を備え、前記補助機能の実行からの出力を含む前記双方向メディアガイダンス画面を表示のために生成するように構成された制御回路は、前記メディアアセットおよび前記メディアアセットが利用できるコンテンツソースを含む前記双方向メディアガイダンス画面を表示のために生成するように構成された制御回路を含む、請求項１３に記載のシステム。
【請求項１５】
前記補助機能は、前記メディアアセットに関連するガイダンス特徴を識別するための検索機能を備え、前記補助機能の実行からの出力を含む前記双方向メディアガイダンス画面を表示のために生成するように構成された制御回路は、前記メディアアセットおよび前記メディアアセットに関連するガイダンス特徴を表示のために生成するように構成された制御回路を含む、請求項１３に記載のシステム。
【請求項１６】
前記ガイダンス特徴は、前記メディアアセットの録画要求である、請求項１５に記載のシステム。
【請求項１７】
前記ユーザプロファイルが前記ユーザのクエリに合致するクエリテンプレートを含むかどうかを判定するように構成された制御回路は、
前記クエリ内の１つ以上のトークンを識別し、
前記ユーザプロファイルが前記１つ以上のトークンの少なくとも一部に合致するクエリテンプレートを含むかどうかを判定するように構成された制御回路を備える、請求項１２に記載のシステム。
【請求項１８】
前記双方向メディアガイダンスアプリケーションのユーザの使用パターンを示すユーザプロファイルは、複数のクエリテンプレートおよび対応する複数の補助機能を含み、前記クエリテンプレートに対応する補助機能を識別するように構成された制御回路は、前記ユーザプロファイルから前記クエリテンプレートに対応する補助機能を識別するように構成された制御回路を備える、請求項１２に記載のシステム。
【請求項１９】
前記双方向メディアガイダンスアプリケーションのユーザの使用パターンを示すユーザプロファイルは、複数のクエリテンプレートを含み、遠隔データベースは、前記複数のクエリテンプレートに対応する複数の補助機能を含み、前記クエリテンプレートに対応する補助機能を識別するように構成された制御回路は、前記遠隔データベースから前記クエリテンプレートに対応する補助機能を識別するように構成された制御回路を備える、請求項１２に記載のシステム。
【請求項２０】
前記クエリテンプレートは第１のクエリテンプレートであり、前記補助機能は第１の補助機能であり、前記制御回路は、
前記ユーザプロファイルが前記ユーザのクエリに合致するクエリテンプレートを含まないと判定したことに応答して、
前記双方向メディアガイダンスアプリケーションの複数のユーザの汎用化された使用パターンを示す汎用プロファイルを読み出し、
前記汎用プロファイルが前記ユーザのクエリに合致する第２のクエリテンプレートを含むかどうかを判定する
ようにさらに構成されている、請求項１２に記載のシステム。
【請求項２１】
前記制御回路は、
前記汎用プロファイルが前記ユーザのクエリに合致する第２のクエリテンプレートを含むと判定したことに応答して、
前記第２のクエリテンプレートに対応する第２の補助機能を識別し、
前記クエリに応答して前記メディアアセットを表示のために生成することに続いて前記第２の補助機能を実行し、
前記メディアアセットおよび前記第２の補助機能の実行からの出力を含む双方向メディアガイダンス画面を表示のために生成する
ようにさらに構成されている、請求項２０に記載のシステム。
【請求項２２】
双方向メディアガイダンスアプリケーションに提示される自然言語クエリのための補助機能を実行する装置であって、
ユーザからメディアアセットに関するクエリを受信する手段と、
前記クエリに応答して前記メディアアセットを表示のために生成する手段と、
前記双方向メディアガイダンスアプリケーションのユーザの使用パターンを示すユーザプロファイルを読み出す手段と、
前記ユーザプロファイルが前記ユーザのクエリに合致するクエリテンプレートを含むかどうかを判定する手段と、
前記ユーザプロファイルが前記ユーザのクエリに合致するクエリテンプレートを含むと判定したことに応答して、
前記クエリテンプレートに対応する補助機能を識別し、
前記クエリに応答して前記メディアアセットを表示のために生成することに続いて前記補助機能を実行する
手段と
を備える、装置。
【請求項２３】
前記メディアアセットおよび前記補助機能の実行からの出力を含む双方向メディアガイダンス画面を表示のために生成する手段をさらに備える、請求項２２に記載の装置。
【請求項２４】
前記補助機能は、前記メディアアセットが利用できるコンテンツソースを識別するための検索機能を備え、前記補助機能の実行からの出力を含む前記双方向メディアガイダンス画面を表示のために生成する手段は、前記メディアアセットおよび前記メディアアセットが利用できるコンテンツソースを含む前記双方向メディアガイダンス画面を表示のために生成する手段を備える、請求項２３に記載の装置。
【請求項２５】
前記補助機能は、前記メディアアセットに関連するガイダンス特徴を識別する検索機能を備え、前記補助機能の実行からの出力を含む前記双方向メディアガイダンス画面を表示のために生成するための手段は、前記メディアアセットおよび前記メディアアセットに関連するガイダンス特徴を表示のために生成する手段を備える、請求項２３に記載の装置。
【請求項２６】
前記ガイダンス特徴は、前記メディアアセットの録画要求である、請求項２５に記載の装置。
【請求項２７】
前記ユーザプロファイルが前記ユーザのクエリに合致するクエリテンプレートを含むかどうかを判定する手段は、
前記クエリ内の１つ以上のトークンを識別する手段と、
前記ユーザプロファイルが前記１つ以上のトークンの少なくとも一部に合致するクエリテンプレートを含むかどうかを判定する手段と
を備える、請求項２２に記載の装置。
【請求項２８】
前記双方向メディアガイダンスアプリケーションのユーザの使用パターンを示すユーザプロファイルは、複数のクエリテンプレートおよび対応する複数の補助機能を含み、前記クエリテンプレートに対応する補助機能を識別する手段は、前記ユーザプロファイルから前記クエリテンプレートに対応する補助機能を識別する手段を備える、請求項２２に記載の装置。
【請求項２９】
前記双方向メディアガイダンスアプリケーションのユーザの使用パターンを示すユーザプロファイルは、複数のクエリテンプレートを含み、遠隔データベースは、前記複数のクエリテンプレートに対応する複数の補助機能を含み、前記クエリテンプレートに対応する補助機能を識別する手段は、前記遠隔データベースから前記クエリテンプレートに対応する補助機能を識別する手段を含む、請求項２２に記載の装置。
【請求項３０】
前記クエリテンプレートは第１のクエリテンプレートであり、前記補助機能は第１の補助機能であり、
前記装置は、
前記ユーザプロファイルが前記ユーザのクエリに合致するクエリテンプレートを含まないと判定したことに応答して、
前記双方向メディアガイダンスアプリケーションの複数のユーザの汎用化された使用パターンを示す汎用プロファイルを読み出し、
前記汎用プロファイルが前記ユーザのクエリに合致する第２のクエリテンプレートを含むかどうかを判定する
手段をさらに備える、請求項２２に記載の装置。
【請求項３１】
前記装置は、
前記汎用プロファイルが前記ユーザのクエリに合致する第２のクエリテンプレートを含むと判定したことに応答して、
前記第２のクエリテンプレートに対応する第２の補助機能を識別し、
前記クエリに応答して前記メディアアセットを表示のために生成することに続いて前記第２の補助機能を実行する
手段と、
前記メディアアセットおよび前記第２の補助機能の実行からの出力を含む双方向メディアガイダンス画面を表示のために生成する手段と
をさらに備える、請求項３０に記載の装置。
【請求項３２】
メモリを備えた非一時的機械可読媒体であって、前記メモリには、双方向メディアガイダンスアプリケーションに提示される自然言語クエリのための補助機能を実行するための命令がエンコードされており、
前記非一時的機械可読媒体は、
ユーザからメディアアセットに関するクエリを受信するための命令と、
前記クエリに応答して前記メディアアセットを表示のために生成するための命令と、
前記双方向メディアガイダンスアプリケーションのユーザの使用パターンを示すユーザプロファイルを読み出すための命令と、
前記ユーザプロファイルが前記ユーザのクエリに合致するクエリテンプレートを含むかどうかを判定するための命令と、
前記ユーザプロファイルが前記ユーザのクエリに合致するクエリテンプレートを含むと判定したことに応答して、
前記クエリテンプレートに対応する補助機能を識別し、
前記クエリに応答して前記メディアアセットを表示のために生成することに続いて前記補助機能を実行する
ための命令と
を備える、非一時的機械可読媒体。
【請求項３３】
前記非一時的機械可読媒体は、前記メディアアセットおよび前記補助機能の実行からの出力を含む双方向メディアガイダンス画面を表示のために生成するための命令をさらに備える、請求項３２に記載の非一時的機械可読媒体。
【請求項３４】
前記補助機能は、前記メディアアセットが利用できるコンテンツソースを識別するための検索機能を備え、前記補助機能の実行からの出力を含む前記双方向メディアガイダンス画面を表示のために生成するための命令は、前記メディアアセットおよび前記メディアアセットが利用できるコンテンツソースを含む前記双方向メディアガイダンス画面を表示のために生成するための命令を備える、請求項３３に記載の非一時的機械可読媒体。
【請求項３５】
前記補助機能は、前記メディアアセットに関連するガイダンス特徴を識別するための検索機能を備え、前記補助機能の実行からの出力を含む前記双方向メディアガイダンス画面を表示のために生成するための命令は、前記メディアアセットおよび前記メディアアセットに関連するガイダンス特徴を表示のために生成するための命令を備える、請求項３３に記載の非一時的機械可読媒体。
【請求項３６】
前記ガイダンス特徴は、前記メディアアセットの録画要求である、請求項３５に記載の非一時的機械可読媒体。
【請求項３７】
前記ユーザプロファイルが前記ユーザのクエリに合致するクエリテンプレートを含むかどうかを判定するための命令は、
前記クエリ内の１つ以上のトークンを識別するための命令と、
前記ユーザプロファイルが前記１つ以上のトークンの少なくとも一部に合致するクエリテンプレートを含むかどうかを判定するための命令と
を含む、請求項３２に記載の非一時的機械可読媒体。
【請求項３８】
前記双方向メディアガイダンスアプリケーションのユーザの使用パターンを示すユーザプロファイルは、複数のクエリテンプレートおよび対応する複数の補助機能を含み、前記クエリテンプレートに対応する補助機能を識別するための命令は、前記ユーザプロファイルから前記クエリテンプレートに対応する補助機能を識別するための命令を備える、請求項３２に記載の非一時的機械可読媒体。
【請求項３９】
前記双方向メディアガイダンスアプリケーションのユーザの使用パターンを示すユーザプロファイルは、複数のクエリテンプレートを含み、遠隔データベースは、前記複数のクエリテンプレートに対応する複数の補助機能を含み、前記クエリテンプレートに対応する補助機能を識別するための命令は、前記遠隔データベースから前記クエリテンプレートに対応する補助機能を識別するための命令を備える、請求項３２に記載の非一時的機械可読媒体。
【請求項４０】
前記クエリテンプレートは第１のクエリテンプレートであり、前記補助機能は第１の補助機能であり、
前記非一時的機械可読媒体は、
前記ユーザプロファイルが前記ユーザのクエリに合致するクエリテンプレートを含まないと判定したことに応答して、
前記双方向メディアガイダンスアプリケーションの複数のユーザの汎用化された使用パターンを示す汎用プロファイルを読み出し、
前記汎用プロファイルが前記ユーザのクエリに合致する第２のクエリテンプレートを含むかどうかを判定する
ための命令をさらに備える、請求項３２に記載の非一時的機械可読媒体。
【請求項４１】
前記非一時的機械可読媒体は、
前記汎用プロファイルが前記ユーザのクエリに合致する第２のクエリテンプレートを含むと判定したことに応答して、
前記第２のクエリテンプレートに対応する第２の補助機能を識別し、
前記クエリに応答して前記メディアアセットを表示のために生成することに続いて前記第２の補助機能を実行する
ための命令と、
前記メディアアセットおよび前記第２の補助機能の実行からの出力を含む双方向メディアガイダンス画面を表示のために生成するための命令と
をさらに備える、請求項４０に記載の非一時的機械可読媒体。
【請求項４２】
双方向メディアガイダンスアプリケーションに提示される自然言語クエリのための補助機能を実行する方法であって、
ユーザからメディアアセットに関するクエリを受信することと、
前記クエリに応答して前記メディアアセットを表示のために生成することと、
前記双方向メディアガイダンスアプリケーションのユーザの使用パターンを示すユーザプロファイルを読み出すことと、
前記ユーザプロファイルが前記ユーザのクエリに合致するクエリテンプレートを含むかどうかを判定することと、
前記ユーザプロファイルが前記ユーザのクエリに合致するクエリテンプレートを含むと判定したことに応答して、
前記クエリテンプレートに対応する補助機能を識別し、
前記クエリに応答して前記メディアアセットを表示のために生成することに続いて前記補助機能を実行する
ことと
を含む、方法。
【請求項４３】
前記方法は、前記メディアアセットおよび前記補助機能の実行からの出力を含む双方向メディアガイダンス画面を表示のために生成することをさらに含む、請求項４２に記載の方法。
【請求項４４】
前記補助機能は、前記メディアアセットが利用できるコンテンツソースを識別するための検索機能を備え、前記補助機能の実行からの出力を含む前記双方向メディアガイダンス画面を表示のために生成することは、前記メディアアセットおよび前記メディアアセットが利用できるコンテンツソースを含む前記双方向メディアガイダンス画面を表示のために生成することを含む、請求項４３に記載の方法。
【請求項４５】
前記補助機能は、前記メディアアセットに関連するガイダンス特徴を識別するための検索機能を備え、前記補助機能の実行からの出力を含む前記双方向メディアガイダンス画面を表示のために生成することは、前記メディアアセットおよび前記メディアアセットに関連するガイダンス特徴を表示のために生成することを含む、請求項４３に記載の方法。
【請求項４６】
前記ガイダンス特徴は、前記メディアアセットの録画要求である、請求項４５に記載の方法。
【請求項４７】
前記ユーザプロファイルが前記ユーザのクエリに合致するクエリテンプレートを含むかどうかを判定することは、
前記クエリ内の１つ以上のトークンを識別することと、
前記ユーザプロファイルが前記１つ以上のトークンの少なくとも一部に合致するクエリテンプレートを含むかどうかを判定することと
を含む、請求項４２〜４６のいずれか１項に記載の方法。
【請求項４８】
前記双方向メディアガイダンスアプリケーションのユーザの使用パターンを示すユーザプロファイルは、複数のクエリテンプレートおよび対応する複数の補助機能を含み、前記クエリテンプレートに対応する補助機能を識別することは、前記ユーザプロファイルから前記クエリテンプレートに対応する補助機能を識別することを含む、請求項４２〜４７のいずれか１項に記載の方法。
【請求項４９】
前記双方向メディアガイダンスアプリケーションのユーザの使用パターンを示すユーザプロファイルは、複数のクエリテンプレートを含み、遠隔データベースは、前記複数のクエリテンプレートに対応する複数の補助機能を含み、前記クエリテンプレートに対応する補助機能を識別することは、前記遠隔データベースから前記クエリテンプレートに対応する補助機能を識別することを含む、請求項４２〜４８のいずれか１項に記載の方法。
【請求項５０】
前記クエリテンプレートは第１のクエリテンプレートであり、前記補助機能は第１の補助機能であり、
前記方法は、
前記ユーザプロファイルが前記ユーザのクエリに合致するクエリテンプレートを含まないと判定したことに応答して、
前記双方向メディアガイダンスアプリケーションの複数のユーザの汎用化された使用パターンを示す汎用プロファイルを読み出し、
前記汎用プロファイルが前記ユーザのクエリに合致する第２のクエリテンプレートを含むかどうかを判定する
ことをさらに含む、請求項４２〜４９のいずれか１項に記載の方法。
【請求項５１】
前記方法は、
前記汎用プロファイルが前記ユーザのクエリに合致する第２のクエリテンプレートを含むと判定したことに応答して、
前記第２のクエリテンプレートに対応する第２の補助機能を識別し、
前記クエリに応答して前記メディアアセットを表示のために生成することに続いて前記第２の補助機能を実行する
ことと、
前記メディアアセットおよび前記第２の補助機能の実行からの出力を含む双方向メディアガイダンス画面を表示のために生成することと
をさらに含む、請求項５０に記載の方法。
【発明の詳細な説明】
【背景技術】
【０００１】
従来の会話システムは、自然言語クエリ等のユーザのクエリに対しては、ユーザのクエリに対する結果、例えばユーザにとって関心のあるメディアアセット等によって応答するように構成されている。従来の会話システムには、汎用の事前にプログラムされた応答、例えば、「ありがとう」または「さよなら」等をさらに含み得るものがある。従来の会話システムには、事前にプログラムされた時刻に基づいた応答、例えば、「おはよう」または「こんばんは」等をさらに含み得るものがある。しかしながら、これらの事前にプログラムされた応答は、会話システムの全てのユーザに汎用のものであって、会話システムと情報をやりとりしながらユーザの体験を向上させることはほとんどない。
【発明の概要】
【課題を解決するための手段】
【０００２】
ユーザのプロファイルに基づいて自然言語クエリのためのカスタマイズされた補助機能を実行することによって、従来の会話システムにおける欠点に対処するためのシステムおよび方法が記載されている。本システムおよび方法は、メディアアセットに関するユーザクエリを受信し、ユーザのクエリに合致するユーザのプロファイル内のクエリテンプレートを判定し、ユーザのクエリに応答することに加え、クエリテンプレートに対応する補助機能を識別して実行する。本システムおよび方法は、双方向メディアガイダンスアプリケーションがユーザデバイス、遠隔サーバ、または別の好適なデバイス上で動作することにより実行されてもよい。双方向メディアガイダンスアプリケーションは、双方向メディアガイダンスアプリケーションのいくつかの部分が１つのデバイス上で実行され、その一方で、双方向メディアガイダンスアプリケーションの他の部分が別のデバイス上で実行されるように、複数のデバイス上に部分的に実行されてもよい。ユーザのプロファイルは、双方向メディアガイダンスアプリケーションのユーザの使用パターンに基づいてもよい。
【０００３】
例えば、ユーザの自然言語クエリに応答することに加え、双方向メディアガイダンスアプリケーションは、カスタマイズされた補助機能を実行し、類似クエリに対する応答を得た後、ユーザが典型的に行うことの尤度（起こり得る可能性）に基づいてユーザに対する次の質問を生成してもよい。例えば、ユーザは、「スカーフェイス（Ｓｃａｒｆａｃｅ）でトニー  モンタナ（Ｔｏｎｙ  Ｍｏｎｔａｎａ）の役を演じたのは誰？」等の自然言語クエリを入力してもよい。双方向メディアガイダンスアプリケーションは、「アル  パチーノ（Ａｌ  Ｐａｃｉｎｏ）がその役を演じました」等の好適な応答で応答し、ユーザのプロファイルに基づいてカスタマイズされた補助機能を実行することにより、「彼の他の映画を視聴しますか？」等のユーザに対する次の質問を生成してもよい。次の質問を生成する補助機能は、ユーザのプロファイルに基づいて選択されてもよい。ユーザのプロファイルは、「映画Ｙで登場人物Ｘの役を演じたのは誰？」等の特定のクエリテンプレートに合致するクエリに関して、その俳優の他の映画に関する次の質問を生成する補助機能が実行されるべきであることを示してもよい。これは、双方向メディアガイダンスアプリケーションの過去の使用において、ユーザが典型的に、そのようなクエリを入力した後にその俳優の他の映画を尋ねているためであり得る。双方向メディアガイダンスアプリケーションは、ユーザから肯定的な応答を受信したときに、その俳優の他の映画を表示のために生成してもよい。その代わりに、双方向メディアガイダンスアプリケーションは、最初に質問をせずに直ちに、ユーザにその俳優の他の映画に関する情報を提供してもよい。
【０００４】
別の実施例では、ユーザは、「ＺＮＮで何が放送中？」等の自然言語クエリを入力してもよい。双方向メディアガイダンスアプリケーションは、「ＺＮＮニュース」等の好適な応答で応答し、ユーザのプロファイルに基づいてカスタマイズされた補助機能を実行し、「ＺＮＮにチャンネルを合わせますか？」等のユーザに対する次の質問を生成してもよい。次の質問を生成する補助機能は、ユーザのプロファイル、汎用プロファイル、または別の好適なプロファイルに基づいて選択されてもよい。ユーザのプロファイルは、「チャンネルＺで何が放送中？」等の特定のクエリテンプレートに合致するクエリに関して、チャンネルＺに合わせるかどうかを尋ねる次の質問を生成する補助機能が実行されるべきであることを示してもよい。これは、双方向メディアガイダンスアプリケーションの過去の使用において、ユーザが典型的にそのようなクエリを入力した後にそのチャンネルに合わせているためであり得る。双方向メディアガイダンスアプリケーションは、ユーザからの肯定的な応答を受信したときにチャンネルＺに合わせてもよい。その代わりに、双方向メディアガイダンスアプリケーションは、最初にユーザに質問をせずに直ちに、チャンネルＺに合わせてもよい。
【０００５】
さらに別の実施例では、ユーザは、「ブルー  イズ  ザ  ニュー  レッド（Ｂｌｕｅ  ｉｓ  ｔｈｅ  Ｎｅｗ  Ｒｅｄ）の新しいシーズンが出た？」等の自然言語クエリを入力してもよい。双方向メディアガイダンスアプリケーションは、「はい、新しいシーズンが先週から放送されています」等の好適な応答で応答し、ユーザのプロファイルに基づいてカスタマイズされた補助機能を実行し、「ＴＶ  ＭＡＸで視聴しますか？」等のユーザに対する次の質問を生成してもよい。次の質問を生成する補助機能は、ユーザのプロファイル、汎用プロファイル、または別の好適なプロファイルに基づいて選択されてもよい。ユーザのプロファイルは、「番組Ａの新しいシーズンが出た？」等の特定のクエリテンプレートに合致するクエリに関して、メディアアセットがストリーミングサービスにおいて利用可能である場合、ユーザがそれをストリーミングサービスで視聴することを所望するかどうかを尋ねる次の質問を生成する補助機能が実行されるべきであることを示してもよい。これは、双方向メディアガイダンスアプリケーションの過去の使用において、ユーザが典型的に、そのようなクエリを入力した後にメディアアセットをストリーミングサービスで視聴しているためであり得る。双方向メディアガイダンスアプリケーションは、ユーザからの肯定的な応答を受信したときに、ストリーミングサービスをアクティブにしてもよい。その代わりに、双方向メディアガイダンスアプリケーションは、最初にユーザに質問をせずに直ちに、ストリーミングサービスをアクティブにしてもよい。
【０００６】
さらに別の実施例では、ユーザは、「コンヴィクション（Ｃｏｎｖｉｃｔｉｏｎ）の次のエピソードはいつ？」等の自然言語クエリを入力してもよい。双方向メディアガイダンスアプリケーションは、「コンヴィクションの次のエピソードは、明日放送予定です」等の好適な応答で応答し、ユーザのプロファイルに基づいてカスタマイズされた補助機能を実行し、「ＤＶＲに録画しますか？」等のユーザに対する次の質問を生成してもよい。次の質問を生成する補助機能は、ユーザのプロファイル、汎用プロファイル、または別の好適なプロファイルに基づいて選択されてもよい。ユーザのプロファイルは、「ショー（Ｓｈｏｗ）Ｂの次のエピソードはいつ？」等の特定のクエリテンプレートに合致するクエリに関して、ショーＢの次のエピソードを録画するかどうかを尋ねる次の質問を生成する補助機能が実行されるべきであることを示してもよい。これは、双方向メディアガイダンスアプリケーションの過去の使用において、ユーザが典型的に、そのようなクエリを入力した後に次のエピソードのための録画要求をＤＶＲに入れているためであり得る。双方向メディアガイダンスアプリケーションは、ユーザからの肯定的な応答を受信したときに、ショーＢのための録画要求を生成してもよい。その代わりに、双方向メディアガイダンスアプリケーションは、最初にユーザに質問をせずに自動的に録画要求を生成してもよい。
【０００７】
さらに別の実施例では、ユーザは、「番組スター  シティー（Ｓｔａｒ  Ｃｉｔｙ）に関する情報を教えて」等の自然言語クエリを入力してもよい。双方向メディアガイダンスアプリケーションは、「スター  シティーは、ＸＹＺで放送中のテレビ番組です」等の好適な応答で応答し、ユーザのプロファイルに基づいて、カスタマイズされた補助機能を実行し、「ＴＶ  ＭＡＸで視聴しますか？」等のユーザに対する次の質問を生成してもよい。次の質問を生成する補助機能は、ユーザのプロファイル、汎用プロファイル、または別の好適なプロファイルに基づいて選択されてもよい。ユーザのプロファイルは、「番組Ｃに関する情報を教えて」等の特定のクエリテンプレートに合致するクエリに関して、メディアアセットが現在放送中ではないが、ストリーミングサービスで利用可能である場合、ユーザがそれをストリーミングサービスで視聴することを希望するかどうかを尋ねる次の質問を生成する補助機能が実行されるべきであることを示してもよい。これは、双方向メディアガイダンスアプリケーションの過去の使用において、ユーザが典型的に、そのようなクエリを入力した後にメディアアセットを視聴するオプションを探しているためであり得る。双方向メディアガイダンスアプリケーションは、ユーザからの肯定的な応答を受信したときに、ストリーミングサービスをアクティブにしてもよい。その代わりに、双方向メディアガイダンスアプリケーションは、最初にユーザに質問をせずに直ちに、ストリーミングサービスをアクティブにしてもよい。
【０００８】
さらに別の実施例では、ユーザは、「新しい映画のゴーストバスターズ（Ｇｈｏｓｔｂｕｓｔｅｒｓ）は、映画館で上映中？」等の自然言語クエリを入力してもよい。双方向メディアガイダンスアプリケーションは、「ゴーストバスターズは、今週末から映画館で上映予定です」等の好適な応答で応答し、ユーザのプロファイルに基づいてカスタマイズされた補助機能を実行し、「映画のチケットを購入しますか？」等のユーザに対する次の質問を生成してもよい。次の質問を生成する補助機能は、ユーザのプロファイル、汎用プロファイル、または別の好適なプロファイルに基づいて選択されてもよい。ユーザのプロファイルは、「映画Ｄは上映中？」等の特定のクエリテンプレートに合致するクエリに関して、ユーザが映画のチケットを購入することを希望するかどうかを尋ねる次の質問を生成する補助機能が実行されるべきであることを示してもよい。これは、双方向メディアガイダンスアプリケーションの過去の使用において、ユーザが典型的にそのようなクエリを入力した後に、映画のチケットを購入しているためであり得る。双方向メディアガイダンスアプリケーションは、ユーザからの肯定的応答を受信したときに、映画Ｄに関する利用可能な上映時間および価格を表示のために生成してもよい。その代わりに、双方向メディアガイダンスアプリケーションは、最初にユーザに質問をせずに直ちに、利用可能な上映時間および価格に関する情報を提供してもよい。
【０００９】
さらに別の実施例では、ユーザは、「ザ  ビッグ  ゲーム（ｔｈｅ  Ｂｉｇ  Ｇａｍｅ）の放送はもう始まっていますか？」等の自然言語クエリを入力してもよい。双方向メディアガイダンスアプリケーションは、「はい、ビッグ  ゲームは、１５分前に始まっています」等の好適な応答で応答し、ユーザのプロファイルに基づいてカスタマイズされた補助機能を実行することにより、「居間のテレビでそれを視聴しますか？」等のユーザに対する次の質問を生成してもよい。次の質問を生成する補助機能は、ユーザのプロファイル、汎用プロファイル、または別の好適なプロファイルに基づいて選択されてもよい。ユーザのプロファイルは、「スポーツ  プログラム（Ｓｐｏｒｔｓ  Ｐｒｏｇｒａｍ）Ｅの放送はもう始まっていますか？」等の特定のクエリテンプレートに合致するクエリに関して、ユーザがそれを居間のテレビで視聴することを希望するかどうかを尋ねる次の質問を生成する補助機能が実行されるべきであることを示してもよい。これは、双方向メディアガイダンスアプリケーションの過去の使用において、ユーザが典型的に、その携帯電話または別の好適な第２の画面デバイスでそのようなクエリを入力した後に居間のテレビでスポーツ  プログラムＥにチャンネルを合わせているためであり得る。双方向メディアガイダンスアプリケーションは、ユーザからの肯定的な応答を受信したときに居間のテレビをアクティブにし、「スポーツ  プログラムＥにチャンネルを合わせてもよい。その代わりに、双方向メディアガイダンスアプリケーションは、最初にユーザに質問をせずに自動的に居間のテレビでスポーツ  プログラムＥにチャンネルを合わせてもよい。
【００１０】
いくつかの実施形態では、双方向メディアガイダンスアプリケーションは、利用可能であるが、ユーザにまだ知らない可能性がある付加的特徴に関する情報を提供する。例えば、ユーザは、外国語メディアアセットに関する情報を要求し得る。ユーザプロファイルが、字幕情報に関する情報を提供するのに、合致するクエリテンプレートを有していない場合でも、汎用プロファイルは、合致するクエリテンプレートを含む場合がある。双方向メディアガイダンスアプリケーションは補助機能を実行し、選択された外国語メディアアセットのために英語字幕が利用可能であるという情報をユーザに提供してもよい。新しい特徴またはユーザにまだ知られていない特徴に関する情報を提供することに加え、双方向メディアガイダンスアプリケーションは、彼自身あるいは彼女自身が積極的に自然言語クエリを形成して特徴の利用可能性を尋ねる必要なしで、ユーザがこれらの特徴を探索することを可能にすることによって、向上されたユーザ体験を提供し得る。
【００１１】
その代わりに、またはそれに加えて、次の質問を生成する補助機能は、双方向メディアガイダンスアプリケーションの複数のユーザの使用パターンに基づく汎用プロファイルに基づいて選択されてもよい。汎用プロファイルは、「映画Ｙで登場人物Ｘの役を演じたのは誰？」等の特定のクエリテンプレートに合致するクエリに関して、その俳優の他の映画に関する次の質問を生成する補助機能が実行されるべきであることを示してもよい。いくつかの実施形態では、合致するクエリテンプレートがユーザのプロファイル内に見出されない場合、双方向メディアガイダンスアプリケーションは、汎用プロファイルに基づいて実行する補助機能を判定する。例えば、ユーザは、そのようなまたは類似クエリを以前に入力しておらず、したがって、ユーザプロファイルは、ユーザに関するどのような使用パターンも有していない場合がある。
【００１２】
いくつかの実施形態では、ユーザプロファイルは、競合の場合、汎用プロファイルよりも優先される。例えば、ユーザプロファイルが、合致するクエリテンプレートに対応する補助機能がスポーツ番組のために寝室のテレビをアクティブにすることを示し（すなわち、ユーザがスポーツ番組をその寝室のテレビで視聴することを好む）、その一方で、汎用プロファイルが、合致するクエリテンプレートに対応する補助機能がスポーツ番組のために居間のテレビをアクティブにする（すなわち、大部分のユーザがスポーツ番組をその居間のテレビで視聴することを好む）ことを示す場合、ユーザプロファイルからの補助機能が優先され、実行され得る。別の実施例では、ユーザプロファイルが、合致するクエリテンプレートに対応する補助機能が実行されるべきではなく、すなわち、ユーザが補助機能を抑制するように能動的に選択したことを示し、その一方で、汎用プロファイルが、合致するクエリテンプレートに対応する補助機能が寝室のテレビをアクティブにすることを示す場合、ユーザプロファイルが優先され、したがって、補助機能は、実行されなくてもよい。
【００１３】
いくつかの側面では、記載されたシステムおよび方法は、双方向メディアガイダンスアプリケーションに提示される自然言語クエリのための補助機能を実行することを提供する。双方向メディアガイダンスアプリケーションは、ユーザから、メディアアセットに関するクエリを受信する。双方向メディアガイダンスアプリケーションは、クエリに応答してメディアアセットを表示のために生成する。双方向メディアガイダンスアプリケーションは、双方向メディアガイダンスアプリケーションのユーザの使用パターンを示すユーザプロファイルを読み出す。双方向メディアガイダンスアプリケーションは、ユーザプロファイルがユーザのクエリに合致するクエリテンプレートを含むかどうかを判定する。ユーザプロファイルが、ユーザのクエリに合致するクエリテンプレートを含むと判定されると、双方向メディアガイダンスアプリケーションは、クエリテンプレートに対応する補助機能を識別し、クエリに応答してメディアアセットを表示のために生成することに続いて補助機能を実行する。
【００１４】
いくつかの実施形態では、双方向メディアガイダンスアプリケーションは、メディアアセットおよび補助機能の実行からの出力を含む双方向メディアガイダンス画面を表示のために生成する。
【００１５】
いくつかの実施形態では、補助機能は、メディアアセットが利用可能なコンテンツソースを識別するための検索機能を備える。双方向メディアガイダンスアプリケーションは、メディアアセットおよびメディアアセットが利用できるコンテンツソースを含む双方向メディアガイダンス画面を表示のために生成することによって、補助機能の実行からの出力を含む双方向メディアガイダンス画面を表示のために生成する。
【００１６】
いくつかの実施形態では、補助機能は、メディアアセットに関連するガイダンス特徴を識別するための検索機能を備える。双方向メディアガイダンスアプリケーションは、メディアアセットおよびメディアアセットに関連するガイダンス特徴を表示のために生成することによって、補助機能の実行からの出力を含む双方向メディアガイダンス画面を表示のために生成する。いくつかの実施形態では、ガイダンス特徴はメディアアセットの録画要求である。
【００１７】
いくつかの実施形態では、双方向メディアガイダンスアプリケーションは、クエリ内の１つ以上のトークンを識別し、ユーザプロファイルが１つ以上のトークンの少なくとも一部に合致するクエリテンプレートを含むかどうかを判定することによって、ユーザプロファイルがユーザのクエリに合致するクエリテンプレートを含むかどうかを判定する。
【００１８】
いくつかの実施形態では、双方向メディアガイダンスアプリケーションのユーザの使用パターンを示すユーザプロファイルは、複数のクエリテンプレートおよび対応する複数の補助機能を含む。双方向メディアガイダンスアプリケーションは、ユーザプロファイルからクエリテンプレートに対応する補助機能を識別することによって、クエリテンプレートに対応する補助機能を識別する。
【００１９】
いくつかの実施形態では、双方向メディアガイダンスアプリケーションのユーザの使用パターンを示すユーザプロファイルは、複数のクエリテンプレートを含み、遠隔データベースは、複数のクエリテンプレートに対応する複数の補助機能を含む。双方向メディアガイダンスアプリケーションは、遠隔データベースからクエリテンプレートに対応する補助機能を識別することによって、クエリテンプレートに対応する補助機能を識別する。
【００２０】
いくつかの実施形態では、クエリテンプレートは第１のクエリテンプレートと称され、補助機能は第１の補助機能と称される。ユーザプロファイルがユーザのクエリに合致するクエリテンプレートを含まないと判定されると、双方向メディアガイダンスアプリケーションは、双方向メディアガイダンスアプリケーションの複数のユーザの汎用化された使用パターンを示す汎用プロファイルを読み出す。双方向メディアガイダンスアプリケーションは、汎用プロファイルがユーザのクエリに合致する第２のクエリテンプレートを含むかどうかを判定する。
【００２１】
いくつかの実施形態では、汎用プロファイルが、ユーザのクエリに合致する第２のクエリテンプレートを含むと判定されると、双方向メディアガイダンスアプリケーションは、第２のクエリテンプレートに対応する第２の補助機能を識別する。双方向メディアガイダンスアプリケーションは、クエリに応答してメディアアセットを表示のために生成することに続いて第２の補助機能を実行する。双方向メディアガイダンスアプリケーションは、メディアアセットおよび第２の補助機能の実行からの出力を含む双方向メディアガイダンス画面を表示のために生成する。
【００２２】
従来の会話システムは、ユーザのクエリに関する結果と、会話システムの全てのユーザに汎用な応答であって、会話システムと情報をやりとりしながらユーザの体験を向上させることはほとんどない事前にプログラムされた付加的な応答とで、自然言語クエリ等のユーザのクエリに応答するように構成されている。記載されているシステムおよび方法は、ユーザのプロファイルに基づいて、自然言語クエリのためのカスタマイズされた補助機能を実行することによって、従来の会話システムにおける欠点に対処する。本システムおよび方法は、メディアアセットに関するユーザクエリを受信し、ユーザのクエリに合致するユーザのプロファイル内のクエリテンプレートを判定し、ユーザのクエリに応答することに加え、クエリテンプレートに対応する補助機能を識別して実行する。事前にプログラムされた応答を提供する従来の会話システムは、そのようなユーザプロファイルに基づいてその応答をカスタマイズしないため、豊かなユーザ体験を提供できない。記載されるシステムおよび方法では、ユーザのプロファイルは、双方向メディアガイダンスアプリケーションのユーザの使用パターンに基づいてカスタマイズされている。ユーザの使用パターンを監視し、ユーザの自然言語クエリと併せてユーザの動作から学習することによって、双方向メディアガイダンスアプリケーションは、より活発でより効率のよいユーザ体験を提供し、事前にプログラムされた応答の必要を最小限にし得る。
【００２３】
前述のシステム、方法、装置、および／または側面は、本開示に記載される他のシステム、方法、装置、および／または側面に適用されてもよいし、もしくはそれに従って使用されてもよいことに留意されたい。
【図面の簡単な説明】
【００２４】
本開示の上記および他の目的ならびに利点は、同様の参照文字が全体を通して同様の部品を指す添付図面と併せて解釈される以下の詳細な説明を考慮することによって明白となるであろう。
【図１】図１は、本開示のいくつかの実施形態による、メディアガイダンスアプリケーションによって生成される表示画面の例証的実施例を示す。
【図２】図２は、本開示のいくつかの実施形態による、メディアガイダンスアプリケーションによって生成される表示画面の別の例証的実施例を示す。
【図３】図３は、本開示のいくつかの実施形態による、メディアガイダンスアプリケーションによって生成される表示画面のさらに別の例証的実施例を示す。
【図４】図４は、本開示のいくつかの実施形態による、ユーザプロファイルデータ構造および汎用プロファイルデータ構造の例証的実施例を示す。
【図５】図５は、本開示のいくつかの実施形態による、メディアガイダンスアプリケーションによって生成される表示画面のさらに別の例証的実施例を示す。
【図６】図６は、本開示のいくつかの実施形態による、メディアガイダンスアプリケーションによって生成される表示画面のさらに別の例証的実施例を示す。
【図７】図７は、本開示のいくつかの実施形態による例証的ユーザ機器デバイスのブロック図である。
【図８】図８は、本開示のいくつかの実施形態による例証的メディアシステムのブロック図である。
【図９】図９は、本開示のいくつかの実施形態による、メディアガイダンスアプリケーションに提示される自然言語クエリのための補助機能を実行するための例証的プロセスのフローチャートである。
【図１０】図１０は、本開示のいくつかの実施形態による、ユーザプロファイルがユーザクエリに合致するクエリテンプレートを含まないときの例証的プロセスのフローチャートである。
【図１１】図１１は、本開示のいくつかの実施形態による、ユーザプロファイルがユーザクエリに合致するクエリテンプレートを含むかどうかを判定するための例証的プロセスのフローチャートである。
【発明を実施するための形態】
【００２５】
ユーザのプロファイルに基づいて自然言語クエリのためのカスタマイズされた補助機能を実行することによって、従来の会話システムにおける欠点に対処するためのシステムおよび方法が記載されている。本システムおよび方法は、メディアアセットに関するユーザクエリを受信し、ユーザのクエリに合致するユーザのプロファイル内のクエリテンプレートを判定し、ユーザのクエリに応答することに加え、クエリテンプレートに対応する補助機能を識別して実行する。本システムおよび方法は、ユーザデバイス（例えば、ユーザ機器デバイス７００（図７））、遠隔サーバ（例えば、サーバ８１６または８１８（図８））、または別の好適なデバイス上で動作する双方向メディアガイダンスアプリケーションにより実行されてもよい。双方向メディアガイダンスアプリケーションは、双方向メディアガイダンスアプリケーションのいくつかの部分が、１つのデバイス上で実行され、その一方で、双方向メディアガイダンスアプリケーションの他の部分が、別のデバイス上で実行されるように、複数のデバイス上で部分的に実行されてもよい。ユーザのプロファイルは、双方向メディアガイダンスアプリケーションのユーザの使用パターンに基づいていてもよい。
【００２６】
いくつかの側面では、記載されているシステムおよび方法は、制御回路（例えば、制御回路７０４（図７））で実行される双方向メディアガイダンスアプリケーションに提示された自然言語クエリのための補助機能を実行することを提供する。制御回路は、ユーザからメディアアセットに関するクエリを受信する。制御回路は、クエリに応答してメディアアセットを表示のために生成する。制御回路は、双方向メディアガイダンスアプリケーションのユーザの使用パターンを示すユーザプロファイルを読み出す。制御回路は、ユーザプロファイルがユーザのクエリに合致するクエリテンプレートを含むかどうかを判定する。ユーザプロファイルがユーザのクエリに合致するクエリテンプレートを含むと判定されると、制御回路は、クエリテンプレートに対応する補助機能を識別し、クエリに応答してメディアアセットを表示のために生成することに続いて補助機能を実行する。制御回路は、メディアアセットおよび補助機能の実行からの出力を含む双方向メディアガイダンス画面を表示のために生成する。
【００２７】
いくつかの実施形態では、ユーザプロファイルがユーザのクエリに合致するクエリテンプレートを含まないと判定されると、制御回路は、双方向メディアガイダンスアプリケーションの複数のユーザの汎用化された使用パターンを示す汎用プロファイルを読み出す。制御回路は、汎用プロファイルがユーザのクエリに合致するクエリテンプレートを含むかどうかを判定する。汎用プロファイルがユーザのクエリに合致するクエリテンプレートを含むと判定されると、制御回路は、クエリテンプレートに対応する補助機能を識別する。制御回路は、クエリに応答してメディアアセットを表示のために生成することに続いて補助機能を実行する。制御回路は、メディアアセットおよび補助機能の実行からの出力を含む双方向メディアガイダンス画面を表示のために生成する。
【００２８】
従来の会話システムは、ユーザのクエリに関する結果と、会話システムの全てのユーザに汎用である応答であって、会話システムと情報をやりとりしながらユーザの体験を向上させることがほとんどない事前にプログラムされた付加的応答とで、自然言語クエリ等のユーザのクエリに応答するように構成されている。記載されているシステムおよび方法は、ユーザのプロファイルに基づいて自然言語クエリのためのカスタマイズされた補助機能を実行することによって、従来の会話システムの欠点に対処する。本システムおよび方法は、メディアアセットに関するユーザクエリを受信し、ユーザのクエリに合致するユーザのプロファイル内のクエリテンプレートを判定し、ユーザのクエリに応答することに加えてクエリテンプレートに対応する補助機能を識別して実行する。事前にプログラムされた応答を提供する従来の会話システムは、そのようなユーザプロファイルに基づいてその応答をカスタマイズしないため、豊かなユーザ体験を提供できない。記載されているシステムおよび方法では、ユーザのプロファイルは、双方向メディアガイダンスアプリケーションのユーザの使用パターンに基づいてカスタマイズされる。ユーザの使用パターンを監視し、ユーザの自然言語クエリと併せてユーザの動作から学習することによって、双方向メディアガイダンスアプリケーションは、より活発でかつより効率のよいユーザ体験を提供し、事前にプログラムされた応答の必要性を最小限にすることができる。
【００２９】
図１は、本開示のいくつかの実施形態による、メディアガイダンスアプリケーションによって生成される表示画面１００の例証的実施例を示す。本例証的実施例では、ユーザの自然言語クエリに応答することに加え、制御回路は、カスタマイズされた補助機能を実行することにより、類似クエリに対する応答を得た後にユーザが典型的に行うことの尤度（起こり得る可能性）に基づいてユーザのための情報を生成する。ユーザは、自然言語クエリ１０２「スカーフェイスでトニー  モンタナの役を演じたのは誰？」を入力する。制御回路は、ユーザのプロファイルに基づいて、好適な応答１０４「アル  パチーノ」を生成し、カスタマイズされた補助機能を実行することにより、次の情報１０６「スカーフェイスがＭＯＶＩＥＳ  ＯＮＬＩＮＥで視聴可能です」を生成する。次の情報を生成する補助機能は、ユーザのプロファイルに基づいて選択されてもよい。ユーザのプロファイルは、「映画Ｙで登場人物Ｘの役を演じたのは誰？」等の特定のクエリテンプレートに合致するクエリに関して、映画の視聴可能性に関する次の情報を生成する補助機能が実行されるべきであることを示してもよい。これは、双方向メディアガイダンスアプリケーションの過去の使用において、ユーザが典型的に、そのようなクエリを入力した後に映画の視聴可能性を検索しているためであり得る。制御回路は、ＭＯＶＩＥＳ  ＯＮＬＩＮＥストリーミングサービスから映画を視聴するためのオプション「視聴する」１０８を表示のために生成してもよい。
【００３０】
図２は、本開示のいくつかの実施形態による、メディアガイダンスアプリケーションによって生成された表示画面２００の例証的実施例を示す。本例証的実施例では、ユーザの自然言語クエリに応答することに加え、制御回路は、カスタマイズされた補助機能を実行することにより、類似クエリに対する応答を得た後にユーザが典型的に行うことの尤度に基づいてユーザのための情報を生成する。ユーザは、自然言語クエリ２０２「韓国映画オールドボーイを探して」を入力する。制御回路は、好適な応答２０４「オールドボーイは、ＭＯＶＩＥＳ  ＯＮＬＩＮＥで視聴可能です」を生成し、ユーザのプロファイルに基づいてカスタマイズされた補助機能を実行し、次の情報２０６「本映画は、英語字幕でも利用可能です」を生成する。次の情報を生成する補助機能は、ユーザのプロファイルに基づいて選択されてもよい。ユーザのプロファイルは、「韓国映画Ｘを探して」または「外国語Ｘの映画Ｙを探して」等の特定のクエリテンプレートに合致するクエリに関して、映画のための英語字幕の利用可能性に関する次の情報を生成する補助機能が実行されるべきであることを示してもよい。これは、双方向メディアガイダンスアプリケーションの過去の使用において、ユーザが典型的に、そのようなクエリを入力した後に映画のための英語字幕の利用可能性を検索しているためであり得る。制御回路は、ＭＯＶＩＥＳ  ＯＮＬＩＮＥストリーミングサービスから英語字幕を伴う映画を見るためのオプション「英語字幕で視聴する」２０８を表示のために生成してもよい。
【００３１】
図３は、本開示のいくつかの実施形態による、メディアガイダンスアプリケーションによって生成された表示画面３００のさらに別の例証的実施例を示す。本例証的実施例では、制御回路は、利用可能であるが、ユーザにまだ知られていない可能性がある付加的特徴に関する情報を生成する。ユーザは、クエリ３０２「ＴＶ  ＯＮＬＩＮＥからの最新のＴＶエピソードを教えて」により情報を要求し得る。制御回路は、好適な応答３０４「ブレイキング  バッド（Ｂｒｅａｋｉｎｇ  Ｂａｄ）のエピソード５；ゲーム  オブ  スローンズ（Ｇａｍｅ  ｏｆ  Ｔｈｒｏｎｅｓ）のエピソード９」を生成する。制御回路は、ユーザのプロファイルがユーザのクエリに合致するクエリテンプレートを含まないと判定する。制御回路は、双方向メディアガイダンスアプリケーションの複数のユーザの使用パターンに基づく汎用プロファイルを読み出す。制御回路は、汎用プロファイルが、ユーザのクエリに合致するクエリテンプレートと、対応する補助機能とを含むと判定する。制御回路は、補助機能を実行することにより、次の情報３０６「現在、あなたのプロバイダにもＴＶ  ＭＡＸから視聴可能なエピソードがあります」を生成する。これは、双方向メディアガイダンスアプリケーションの過去の使用において、複数のユーザが典型的に、ＴＶ  ＯＮＬＩＮＥに加えてＴＶ  ＭＡＸからの最新のＴＶエピソードの利用可能性を検索しているためであり得る。制御回路は、最新のＴＶエピソードに関してＴＶ  ＭＡＸを検索するオプション「ＴＶ  ＭＡＸを検索する」３０８を表示のために生成してもよい。新しい特徴またはユーザにまだ知られていない特徴に関する情報を提供することに加え、双方向メディアガイダンスアプリケーションは、彼自身あるいは彼女自身が積極的に自然言語クエリを形成して特徴の利用可能性を尋ねることを必要とせずに、ユーザがこれらの特徴を探索することを可能にすることによって、向上されたユーザ体験を提供することもできる。
【００３２】
図４は、本開示のいくつかの実施形態による、ユーザプロファイルデータ構造４００および汎用プロファイルデータ構造４５０の例証的実施例を示す。ユーザの自然言語クエリのために実行すべき補助機能は、ユーザプロファイルデータ構造（＜Ｕｓｅｒ  Ｐｒｏｆｉｌｅ＞）４００または汎用プロファイルデータ構造（＜Ｇｅｎｅｒｉｃ  Ｐｒｏｆｉｌｅ＞）４５０のいずれかに基づいていてもよい。ユーザプロファイルデータ構造４００は、双方向メディアガイダンスアプリケーションのユーザの使用パターンに基づくユーザプロファイル情報を含んでもよい。例えば、「クエリテンプレート１（＜ｑｕｅｒｙ  ｔｅｍｐｌａｔｅ  １＞）」（４０２）に関して、実行すべき対応する補助機能は、「補助機能１（＜ｅｘｃｕｔｅ  ｓｕｐｐｌｅｍｅｎｔａｌ  ｆｕｎｃｔｉｏｎ  １＞）」（４０４）であってもよい。例えば、「クエリテンプレート２（＜ｑｕｅｒｙ  ｔｅｍｐｌａｔｅ  ２＞）」（４０６）に関して、実行すべき対応する補助機能は、「ヌル（＜ｅｘｃｕｔｅ  ＮＵＬＬ＞）」（４０８）であってもよい。これは、本クエリテンプレートに合致するクエリが入力されるとき、ユーザが任意の補助機能が実行されることを所望しないことを意味する。例えば、「クエリテンプレート３（＜ｑｕｅｒｙ  ｔｅｍｐｌａｔｅ  ３＞）」（４１０）に関して、実行すべき対応する補助機能は、「該当なし（＜ｅｘｃｕｔｅ  ＮＡ＞）」（４１２）であってもよい。これは、クエリテンプレートに補助機能がまだ割り当てられていないことを意味する。これは、双方向メディアガイダンスアプリケーションが、ユーザが補助機能を割り当てることを検討する使用パターンをまだ確立していないためであり得る。
【００３３】
汎用プロファイルデータ構造４５０は、双方向メディアガイダンスアプリケーションの複数のユーザの使用パターンに基づいて、複数のユーザに対して汎用化されたユーザプロファイル情報を含んでもよい。例えば、「クエリテンプレート１（＜ｑｕｅｒｙ  ｔｅｍｐｌａｔｅ  １＞）」（４５２）に関して、実行すべき対応する補助機能は、「補助機能２（＜ｅｘｃｕｔｅ  ｓｕｐｐｌｅｍｅｎｔａｌ  ｆｕｎｃｔｉｏｎ  ２＞）」（４５４）であってもよい。例えば、「クエリテンプレート２（＜ｑｕｅｒｙ  ｔｅｍｐｌａｔｅ  ２＞）」（４５６）に関して、実行すべき対応する補助機能は、「補助機能３（＜ｅｘｃｕｔｅ  ｓｕｐｐｌｅｍｅｎｔａｌ  ｆｕｎｃｔｉｏｎ  ３＞）」（４５８）であってもよい。例えば、「クエリテンプレート３（＜ｑｕｅｒｙ  ｔｅｍｐｌａｔｅ  ３＞）」（４６０）に関して、実行すべき対応する補助機能は、「補助機能４（＜ｅｘｃｕｔｅ  ｓｕｐｐｌｅｍｅｎｔａｌ  ｆｕｎｃｔｉｏｎ  ４＞）」（４６２）であってもよい。
【００３４】
いくつかの実施形態では、制御回路は、合致するクエリテンプレートがユーザプロファイルデータ構造４００内に見出されない場合、汎用プロファイルデータ構造４５０に基づいて、実行すべき補助機能を判定する。例えば、ユーザは、そのようなまたは類似クエリを以前に入力しておらず、したがって、ユーザプロファイルは、ユーザに関する使用パターンを何も有していない場合がある。したがって、「クエリテンプレート３」に関して、制御回路は、ユーザプロファイルデータ構造４００内に補助機能が割り当てられていないため、「補助機能４」を選択してもよい。いくつかの実施形態では、ユーザプロファイルデータ構造４００は、競合の場合、汎用プロファイルデータ構造４５０よりも優先される。例えば、「補助機能１」が「クエリテンプレート１」に対応することを示すユーザプロファイルデータ構造４００と、「補助機能２」が「クエリテンプレート１」に対応することを示す汎用プロファイルデータ構造４５０とが競合することを理由として、制御回路は、優先権を有するユーザプロファイルデータ構造４００に基づいて「補助機能１」を選択する。別の実施例では、「ヌル」が「クエリテンプレート２」に対応することを示すユーザプロファイルデータ構造４００と、「補助機能３」が「クエリテンプレート２」に対応することを示す汎用プロファイルデータ構造４５０とが競合することを理由として、制御回路は、優先権を有するユーザプロファイルデータ構造４００に基づいていずれの補助機能も選択しない。
【００３５】
どのようなコンテンツ配信システムでもユーザに利用可能なコンテンツの量はかなりの量であり得る。その結果、多くのユーザは、ユーザがコンテンツの選択を効率的にナビゲートし、要求し得るコンテンツを容易に識別することを可能にするインターフェースを通したメディアガイダンスの形態を要求している。そのようなガイダンスを提供するアプリケーションは、本明細書では、双方向メディアガイダンスアプリケーションと称されるが、時として、メディアガイダンスアプリケーションまたはガイダンスアプリケーションと称されることもある。
【００３６】
本明細書で参照されるように、「双方向メディアガイダンスアプリケーション」、または「メディアガイダンスアプリケーション」、もしくは時として、「ガイダンスアプリケーション」は、ユーザが、コンテンツを購入する、および／またはコンテンツにナビゲートすることを可能にするアプリケーションである。いくつかの実施形態では、メディアガイダンスアプリケーションは、オンラインアプリケーション（すなわち、ウェブサイト上で提供される）として、またはサーバもしくはユーザデバイス上の独立型アプリケーションとして提供されてもよい。いくつかの実施形態では、種々のデバイスおよびプラットフォームにインストールされる制御回路は、以下により詳細に記載されるように、メディアガイダンスアプリケーションを実行してもよい。いくつかの実施形態では、本明細書で議論される実施形態のいずれかを行うためのメディアガイダンスアプリケーションおよび／またはどのような命令もコンピュータ可読媒体にエンコードされてもよい。コンピュータ可読媒体は、データを記憶可能な任意の媒体を含む。コンピュータ可読媒体は、限定されるものではないが、電気または電磁信号の伝搬を含む一時的なものであってもよく、または限定されるものではないが、ハードディスク、フロッピー（登録商標）ディスク、ＵＳＢドライブ、ＤＶＤ、ＣＤ、メディアカード、レジスタメモリ、プロセッサキャッシュ、ランダムアクセスメモリ（「ＲＡＭ」）等の揮発性および不揮発性コンピュータメモリまたは記憶デバイスを含む非一時的なものであってもよい。
【００３７】
双方向メディアガイダンスアプリケーションは、ガイダンスを提供する対象のコンテンツに応じて種々の形態をとってもよい。典型的なタイプのメディアガイダンスアプリケーションの１つは、双方向テレビ番組ガイドである。双方向テレビ番組ガイド（時として、電子番組ガイドと称される場合もある）は、とりわけ、ユーザが、多くのタイプのコンテンツまたはメディアアセット間をナビゲートし、それらを特定することを可能にする公知のガイダンスアプリケーションである。双方向メディアガイダンスアプリケーションは、ユーザが、コンテンツ間をナビゲートし、それを特定し、選択することを可能にするグラフィカルユーザインターフェース画面を生成してもよい。本明細書で参照されるように、用語「メディアアセット」および「コンテンツ」とは、電子的に消費可能なユーザアセット、例えば、テレビ番組、ならびに有料番組、オンデマンド番組（ビデオオンデマンド（ＶＯＤ）システムにおけるようなもの）、インターネットコンテンツ（例えば、ストリーミングコンテンツ、ダウンロード可能コンテンツ、ウェブキャスト等）、ビデオクリップ、オーディオ、コンテンツ情報、写真、回転画像、ドキュメント、再生一覧、ウェブサイト、記事、書籍、電子書籍、ブログ、チャットセッション、ソーシャルメディア、アプリケーション、ゲーム、および／または任意の他のメディアもしくはマルチメディア、および／またはそれらの組み合わせを意味すると理解されたい。ガイダンスアプリケーションはまた、ユーザが、コンテンツ間をナビゲートし、それを特定することを可能にする。本明細書で参照されるように、用語「マルチメディア」とは、前述の少なくとも２つの異なるコンテンツ形態、例えば、テキスト、オーディオ、画像、ビデオ、または双方向コンテンツ形態を利用するコンテンツを意味すると理解されたい。コンテンツは、ユーザ機器デバイスによって、録画、再生、表示、またはアクセスされてもよいが、また、ライブパーフォーマンスの一部であることも可能である。
【００３８】
本明細書で議論される実施形態のいずれかを行うためのメディアガイダンスアプリケーションおよび／または任意の命令は、コンピュータ可読媒体上にエンコードされてもよい。コンピュータ可読媒体は、データを記憶することが可能な任意のメディアを含む。コンピュータ可読媒体は、限定されるものではないが、電気または電磁信号の伝搬を含む一時的なものであってもよく、または限定されるものではないが、ハードディスク、フロッピー（登録商標）ディスク、ＵＳＢドライブ、ＤＶＤ、ＣＤ、メディアカード、レジスタメモリ、プロセッサキャッシュ、ランダムアクセスメモリ（「ＲＡＭ」）等の揮発性および不揮発性コンピュータメモリまたは記憶デバイスを含む非一時的なものであってもよい。
【００３９】
インターネット、モバイルコンピューティング、および高速無線ネットワークの出現に伴って、ユーザは、従来は使用しなかったユーザ機器デバイス上でメディアにアクセスするようになっている。本明細書で参照されるように、語句「ユーザ機器デバイス」、「ユーザ機器」、「ユーザデバイス」、「電子デバイス」、「電子機器」、「メディア機器デバイス」、または「メディアデバイス」は、テレビ、スマートＴＶ、セットトップボックス、衛星テレビに対応するための統合型受信機デコーダ（ＩＲＤ）、デジタル記憶デバイス、デジタルメディア受信機（ＤＭＲ）、デジタルメディアアダプタ（ＤＭＡ）、ストリーミングメディアデバイス、ＤＶＤプレーヤ、ＤＶＤレコーダ、接続型ＤＶＤ、ローカルメディアサーバ、ＢＬＵ−ＲＡＹ（登録商標）プレーヤ、ＢＬＵ−ＲＡＹ（登録商標）レコーダ、パーソナルコンピュータ（ＰＣ）、ラップトップコンピュータ、タブレットコンピュータ、ウェブＴＶボックス、パーソナルコンピュータテレビ（ＰＣ／ＴＶ）、ＰＣメディアサーバ、ＰＣメディアセンター、ハンドヘルドコンピュータ、固定電話、携帯情報端末（ＰＤＡ）、携帯電話、ポータブルビデオプレーヤ、ポータブル音楽プレーヤ、ポータブルゲーム機、スマートフォン、または任意の他のテレビ機器、コンピューティング機器、もしくは無線デバイス、および／またはそれらの組み合わせ等の前述のコンテンツにアクセスするための任意のデバイスを意味すると理解されたい。いくつかの実施形態では、ユーザ機器デバイスは、正面画面および裏面画面、複数の正面画面、または複数の角度付き画面を有してもよい。いくつかの実施形態では、ユーザ機器デバイスは、正面カメラおよび／または背面カメラを有してもよい。これらのユーザ機器デバイス上で、ユーザは、テレビを通して利用可能な同一のコンテンツ間をナビゲートし、それを特定することが可能であってもよい。その結果として、メディアガイダンスは、これらのデバイス上でも利用可能であってもよい。提供されるガイダンスは、テレビのみを通して利用可能なコンテンツ、他のタイプのユーザ機器デバイスのうちの１つ以上のもののみを通して利用可能なコンテンツ、またはテレビおよび他のタイプのユーザ機器デバイスのうちの１つ以上のものの両方を通して利用可能なコンテンツのためのものであってもよい。メディアガイダンスアプリケーションは、ユーザ機器デバイス上で、オンラインアプリケーション（すなわち、ウェブサイト上で提供されるもの）、もしくは独立型アプリケーションまたはクライアントとして提供されてもよい。メディアガイダンスアプリケーションを実装し得る種々のデバイスおよびプラットフォームは、以下でより詳細に説明される。
【００４０】
メディアガイダンスアプリケーションの機能の１つは、メディアガイダンスデータをユーザに提供することである。本明細書で参照されるように、語句「メディアガイダンスデータ」または「ガイダンスデータ」は、コンテンツに関連する任意のデータ、またはガイダンスアプリケーションを動作させる際に使用されるデータを意味すると理解されたい。例えば、ガイダンスデータは、番組情報、ガイダンスアプリケーション設定、ユーザの好み、ユーザプロファイル情報、メディア一覧、メディア関連情報（例えば、放送時間、放送チャンネル、タイトル、内容、評価情報（例えば、ペアレンタルコントロール評価、批評家の評価等）、ジャンルまたはカテゴリ情報、俳優情報、放送会社またはプロバイダのロゴのロゴデータ等）、メディア形式（例えば、標準解像度、高解像度、３Ｄ等）、オンデマンド情報、ブログ、ウェブサイト、およびユーザが所望のコンテンツ選択間をナビゲートし、それを特定するために役立つ任意の他のタイプのガイダンスデータを含んでもよい。
【００４１】
図５〜６は、メディアガイダンスデータを提供するために使用され得る例証的表示画面を示す。図５〜６に示される表示画面は、任意の好適なユーザ機器デバイスまたはプラットフォーム上に実装されてもよい。図５〜６の表示は、フル画面表示として図示されているが、それらはまた、表示されているコンテンツ上に完全または部分的に重ね合わせられていてもよい。ユーザは、表示画面に提供された選択可能なオプション（例えば、メニューオプション、一覧オプション、アイコン、ハイパーリンク等）を選択することによって、もしくはリモートコントロールまたは他のユーザ入力インターフェースもしくはデバイス上の専用ボタン（例えば、ＧＵＩＤＥ「ガイド」ボタン）を押下することによって、コンテンツ情報へのアクセスの要望を指示してもよい。ユーザの指示に応答して、メディアガイダンスアプリケーションは、グリッド内の時間およびチャンネル別、時間別、チャンネル別、ソース別、コンテンツタイプ別、カテゴリ別（例えば、映画、スポーツ、ニュース、子供向け、または他の番組カテゴリ）、他の所定、ユーザ定義、もしくは他の編成基準等のいくつかの方法のうちの１つにおいて編成されたメディアガイダンスデータを伴う表示画面を提供してもよい。
【００４２】
図５は、単一表示内の異なるタイプのコンテンツへのアクセスも可能にする、時間およびチャンネル別に配列された番組一覧表示５００の例証的グリッドを示す。表示５００は、以下を伴うグリッド５０２を含んでもよい。（１）各チャンネル／コンテンツタイプ識別子（列内のセル）が利用可能な異なるチャンネルまたはコンテンツのタイプを識別するチャンネル／コンテンツタイプ識別子５０４の列、および（２）各時間識別子（行内のセル）が番組の時間帯を識別する時間識別子５０６の行。グリッド５０２はまた、番組一覧５０８等の番組一覧のセルも含み、各一覧は、一覧の関連チャンネルおよび関連時間に提供される番組のタイトルを提供する。ユーザ入力デバイスを用いて、ユーザは、ハイライト領域５１０を移動させることによって、番組一覧を選択することができる。ハイライト領域５１０によって選択される番組一覧に関する情報が、番組情報領域５１２内に提供されてもよい。領域５１２は、例えば、番組タイトル、番組内容、番組が放送される時間（該当する場合）、番組が放送されるチャンネル（該当する場合）、番組の評価、および他の所望の情報を含んでもよい。
【００４３】
線形番組（例えば、所定の時間に複数のユーザ機器デバイスに伝送されるようにスケジューリングされ、スケジューリングに従って提供されるコンテンツ）へのアクセスの提供に加え、メディアガイダンスアプリケーションは、非線形番組（例えば、任意の時間においてユーザ機器デバイスにアクセス可能であって、スケジューリングに従って提供されるものではないコンテンツ）へのアクセスも提供する。非線形番組は、オンデマンドコンテンツ（例えば、ＶＯＤ）、インターネットコンテンツ（例えば、ストリーミングメディア、ダウンロード可能メディア等）、ローカルに記憶したコンテンツ（例えば、前述の任意のユーザ機器デバイスまたは他の記憶デバイス上に記憶されたコンテンツ）、または時間的制約のない他のコンテンツを含む異なるコンテンツソースからのコンテンツを含んでもよい。オンデマンドコンテンツは、映画または特定のコンテンツプロバイダ（例えば、「ザ  ソプラノス（Ｔｈｅ  Ｓｏｐｒａｎｏｓ）」や「カーブ  ユア  エンシュージアズム（Ｃｕｒｂ  Ｙｏｕｒ  Ｅｎｔｈｕｓｉａｓｍ）」を提供するＨＢＯオンデマンド（ＨＢＯ  Ｏｎ  Ｄｅｍａｎｄ））によって提供される任意の他のコンテンツを含んでもよい。ＨＢＯ  ＯＮ  ＤＥＭＡＮＤは、タイム  ワーナー  カンパニー  エル  ピーらによって所有されるサービスマークであり、ＴＨＥ  ＳＯＰＲＡＮＯＳおよびＣＵＲＢ  ＹＯＵＲ  ＥＮＴＨＵＳＩＡＳＭは、ホーム  ボックス  オフィス  インクによって所有される商標である。インターネットコンテンツは、チャットセッションまたはウェブキャスト等のウェブイベント、もしくはインターネットウェブサイトまたは他のインターネットアクセス（例えば、ＦＴＰ）を介してのストリーミングコンテンツまたはダウンロード可能なコンテンツとしてオンデマンドで利用可能なコンテンツを含んでもよい。
【００４４】
グリッド５０２は、オンデマンド一覧５１４、録画コンテンツ一覧５１６、およびインターネットコンテンツ一覧５１８を含む、非線形番組のメディアガイダンスデータを提供してもよい。異なるタイプのコンテンツソースからのコンテンツのためのメディアガイダンスデータを組み合わせる表示は、時として、「混合メディア」表示と称されることもある。表示５００とは異なる表示され得るメディアガイダンスデータのタイプの種々の順列は、ユーザ選択またはガイダンスアプリケーション定義（例えば、録画および放送一覧のみの表示、オンデマンドおよび放送一覧のみの表示等）に基づいてもよい。例証されるように、一覧５１４、５１６、および５１８は、これらの一覧の選択が、それぞれ、オンデマンド一覧、録画一覧、またはインターネット一覧専用の表示へのアクセスを提供し得ることを示すように、グリッド５０２内に表示される時間帯全体に及ぶものとして示されている。いくつかの実施形態では、これらのコンテンツタイプの一覧は、グリッド５０２に直接含まれてもよい。ユーザがナビゲーションアイコン５２０のうちの１つを選択することに応答して、付加的メディアガイダンスデータが表示されてもよい（ユーザ入力デバイス上の矢印キーを押下することによって、ナビゲーションアイコン５２０を選択することと同様に表示に影響を及ぼしてもよい）。
【００４５】
表示５００はまた、ビデオ領域５２２およびオプション領域５２６を含んでもよい。ビデオ領域５２２は、ユーザが、現在利用可能である、今後利用可能となる、またはユーザに利用可能であった番組を視聴および／またはプレビューすることを可能にしてもよい。ビデオ領域５２２のコンテンツは、グリッド５０２に表示される一覧のうちの１つに対応するか、またはそれから独立してもよい。ビデオ領域を含むグリッド表示は、時として、ピクチャインガイド（ＰＩＧ）表示と称されることもある。ＰＩＧ表示およびそれらの機能は、２００３年５月１３日発行のＳａｔｔｅｒｆｉｅｌｄらの米国特許第６，５６４，３７８号、および２００１年５月２９日発行のＹｕｅｎらの米国特許第６，２３９，７９４号でさらに詳細に説明されており、それらは全体として参照することによって本明細書に組み込まれる。ＰＩＧ表示は、本明細書に説明される実施形態の他のメディアガイダンスアプリケーション表示画面に含まれてもよい。
【００４６】
オプション領域５２６は、ユーザが、異なるタイプのコンテンツ、メディアガイダンスアプリケーション表示、および／またはメディアガイダンスアプリケーション特徴にアクセスすることを可能にしてもよい。オプション領域５２６は、ディプレイ５００（および本明細書に説明される他の表示画面）の一部であってもよく、もしくは画面上のオプションを選択すること、またはユーザ入力デバイス上の専用または割当可能ボタンを押下することによって、ユーザによって呼び出されてもよい。オプション領域５２６内の選択可能オプションは、グリッド５０２内の番組一覧に関連する特徴に関してもよく、またはメインメニュー表示から利用可能なオプションを含んでもよい。番組一覧に関連する特徴は、番組を受信する他の放送時間または他の方法を検索すること、番組を録画すること、番組の連続録画を有効化すること、番組および／またはチャンネルをお気に入りとして設定すること、番組を購入すること、もしくは他の特徴を含んでもよい。メインメニュー表示から利用可能なオプションは、検索オプション、ＶＯＤオプション、ペアレンタルコントロールオプション、インターネットオプション、クラウドベースのオプション、デバイス同期オプション、第２の画面デバイスオプション、種々のタイプのメディアガイダンスデータ表示にアクセスするためのオプション、プレミアムサービスを購読するためのオプション、ユーザのプロファイルを編集するためのオプション、ブラウザオーバーレイにアクセスするためのオプション、もしくは他のオプションを含んでもよい。
【００４７】
メディアガイダンスアプリケーションは、ユーザの好みに基づいて個人向けされてもよい。個人向けされたメディアガイダンスアプリケーションは、ユーザが、メディアガイダンスアプリケーションによって個人向けされた「体験」を生成するように、表示および特徴をカスタマイズすることを可能にする。この個人向けされた体験は、ユーザがこれらのカスタマイズを入力することを可能にすることによって、および／またはメディアガイダンスアプリケーションがユーザ活動を監視することによって種々のユーザの好みを判定することによって生成されてもよい。ユーザは、ガイダンスアプリケーションにログインすることによって、またはその他の方法でガイダンスアプリケーションに対して自らを特定することによって、それらの個人向けされたガイダンスアプリケーションにアクセスしてもよい。メディアガイダンスアプリケーションのカスタマイズは、ユーザプロファイルに従って作成されてもよい。カスタマイズは、提示方式（例えば、表示の色方式、テキストのフォントサイズ等）、表示されるコンテンツ一覧の態様（例えば、ＨＤＴＶ番組のみまたは３Ｄ番組のみ、お気に入りチャンネル選択に基づいたユーザ指定の放送チャンネル、チャンネルの表示の並び替え、推奨されたコンテンツ等）、所望の録画特徴（例えば、特定のユーザに対する録画または連続録画、録画品質等）、ペアレンタルコントロール設定、インターネットコンテンツのカスタマイズされた提示（例えば、ソーシャルメディアコンテンツ、電子メール、電子的に配信された記事等の提示）、および他の所望のカスタマイズを変更させることを含んでもよい。
【００４８】
メディアガイダンスアプリケーションは、ユーザが、ユーザプロファイル情報を提供することを可能にしてもよく、またはユーザプロファイル情報を自動的にコンパイル（編集）してもよい。メディアガイダンスアプリケーションは、例えば、ユーザがアクセスするコンテンツ、および／またはユーザがガイダンスアプリケーションと行い得る他の情報のやりとりを監視してもよい。加えて、メディアガイダンスアプリケーションは、特定のユーザに関連する他のユーザプロファイルの全体または一部を（例えば、ｗｗｗ．ａｌｌｒｏｖｉ．ｃｏｍ等のユーザがアクセスするインターネット上の他のウェブサイトから、ユーザがアクセスする他のメディアガイダンスアプリケーションから、ユーザがアクセスする他の双方向アプリケーションから、ユーザの別のユーザ機器デバイスから）取得し、および／またはメディアガイダンスアプリケーションがアクセスし得る他のソースから、ユーザに関する情報を取得してもよい。結果として、ユーザの異なるユーザ機器デバイスにわたって統一されたガイダンスアプリケーション体験をユーザに提供することができる。このタイプのユーザ体験は、図８に関連して、以下でより詳細に説明される。付加的な個人向けされたメディアガイダンスアプリケーション特徴は、２００５年７月１１日出願のＥｌｌｉｓらの米国特許出願第２００５／０２５１８２７号、２００７年１月１６日出願のＢｏｙｅｒらの米国特許出願第７，１６５，０９８号、および２００２年２月２１日出願のＥｌｌｉｓらの米国特許出願第２００２／０１７４４３０号でさらに詳細に説明されており、それらは全体として参照することにより本明細書に組み込まれる。
【００４９】
メディアガイダンスを提供するための別の表示配列が、図６に示されている。ビデオモザイク表示６００は、コンテンツのタイプ、ジャンル、および／または他の編成基準に基づいて編成されたコンテンツ情報のための選択可能オプション６０２を含む。表示６００では、テレビ一覧オプション６０４が、選択され、したがって、一覧６０６、６０８、６１０、および６１２を放送番組一覧として提供する。表示６００では、一覧は、カバーアート、コンテンツからの静止画像、ビデオクリップのプレビュー、コンテンツからのライブビデオ、または一覧中のメディアガイダンスデータによって記述されているコンテンツをユーザに示す他のタイプのコンテンツを含むグラフィック画像を提供してもよい。グラフィック一覧のそれぞれはまた、一覧と関連付けられたコンテンツに関するさらなる情報を提供するように、テキストを伴ってもよい。例えば、一覧６０８は、メディア部分６１４およびテキスト部分６１６を含む１つ以上の部分を含んでもよい。メディア部分６１４および／またはテキスト部分６１６は、コンテンツをフル画面で視聴するように、またはメディア部分６１４に表示されるコンテンツに関連する情報を閲覧するように（例えば、ビデオが表示されているチャンネルの一覧を閲覧するように）選択可能であってもよい。
【００５０】
表示６００中の一覧は、異なるサイズである（すなわち、一覧６０６は、一覧６０８、６１０、および６１２より大きい）が、必要であれば、全一覧が同一のサイズであってもよい。一覧は、コンテンツプロバイダの要望に応じて、またはユーザの好みに基づいて、ユーザに関心の程度を示すために、または、あるコンテンツを強調するために、異なるサイズであるか、またはグラフィックが強調されてもよい。コンテンツ一覧をグラフィック的に強調するための種々のシステムおよび方法は、例えば、全体として参照することにより本明細書に組み込まれる、２００９年１１月１２日に出願されたＹａｔｅｓの米国特許出願公開第２０１０／０１５３８８５号で議論される。
【００５１】
ユーザは、そのユーザ機器デバイスのうちの１つ以上のものから、コンテンツおよびメディアガイダンスアプリケーションおよび（前述されかつ後述されているその表示画面）にアクセスしてもよい。図７は、例証的ユーザ機器デバイス７００の汎用実施形態を示す。ユーザ機器デバイスのより具体的な実装は、図８に関連して以下で議論される。ユーザ機器デバイス７００は、入出力（以下「Ｉ／Ｏ」）パス７０２を介してコンテンツおよびデータを受信してもよい。Ｉ／Ｏパス７０２は、処理回路７０６および記憶装置７０８を含む制御回路７０４に、コンテンツ（例えば、放送番組、オンデマンド番組、インターネットコンテンツ、ローカルエリアネットワーク（ＬＡＮ）または広域ネットワーク（ＷＡＮ）を経由して利用可能なコンテンツ、および／または他のコンテンツ）およびデータを提供してもよい。制御回路７０４は、Ｉ／Ｏパス７０２を使用して、コマンド、要求、および他の好適なデータを送受信するために使用されてもよい。Ｉ／Ｏパス７０２は、制御回路７０４（具体的には、処理回路７０６）を１つ以上の通信パス（以下で説明される）に接続してもよい。Ｉ／Ｏ機能は、これらの通信パスのうちの１つ以上のものによって提供されてもよいが、図面が複雑になり過ぎることを回避するため、図７では単一パスとして示されている。
【００５２】
制御回路７０４は、処理回路７０６等の任意の好適な処理回路に基づいていてもよい。本明細書で参照されるように、処理回路とは、１つ以上のマイクロプロセッサ、マイクロコントローラ、デジタル信号プロセッサ、プログラマブル論理デバイス、フィールドプログラマブルゲートアレイ（ＦＰＧＡ）、特定用途向け集積回路（ＡＳＩＣ）等に基づく回路を意味すると理解され、マルチコアプロセッサ（例えば、デュアルコア、クアドコア、ヘクサコア、または任意の好適な数のコア）またはスーパーコンピュータを含んでもよい。いくつかの実施形態では、処理回路は、複数の別個のプロセッサまたは処理ユニット、例えば、複数の同一のタイプの処理ユニット（例えば、２つのＩｎｔｅｌ  Ｃｏｒｅ  ｉ７プロセッサ）または複数の異なるプロセッサ（例えば、Ｉｎｔｅｌ  Ｃｏｒｅ  ｉ５プロセッサおよびＩｎｔｅｌ  Ｃｏｒｅ  ｉ７プロセッサ）にわたって分散されてもよい。いくつかの実施形態では、制御回路７０４は、メモリ（すなわち、記憶装置７０８）に記憶されたメディアガイダンスアプリケーションに対する命令を実行する。具体的には、制御回路７０４は、メディアガイダンスアプリケーションによって前述および後述の機能を行うように命令されてもよい。例えば、メディアガイダンスアプリケーションは、制御回路７０４に、メディアガイダンス表示を生成するための命令を提供してもよい。いくつかの実装では、制御回路７０４によって行われるいかなるアクションもメディアガイダンスアプリケーションから受信した命令に基づいていてもよい。
【００５３】
クライアントサーバに基づく実施形態では、制御回路７０４は、ガイダンスアプリケーションサーバもしくは他のネットワークまたはサーバと通信するための好適な通信回路を含んでもよい。前述の機能を実行するための命令は、ガイダンスアプリケーションサーバ上に記憶されてもよい。通信回路は、ケーブルモデム、総合デジタル通信網（ＩＳＤＮ）モデム、デジタルサブスクライバ回線（ＤＳＬ）モデム、電話モデム、イーサネット（登録商標）カード、または他の機器との通信用無線モデム、または任意の他の好適な通信回路を含んでもよい。そのような通信は、インターネットもしくは任意の他の好適な通信ネットワークまたはパスを含んでもよい（それは、図８に関連してさらに詳細に記載されている）。加えて、通信回路は、ユーザ機器デバイスの間でのピアツーピア通信、または相互に離れた場所にあるユーザ機器デバイス間での通信を可能にする回路を含んでもよい（以下でさらに詳細に記載されている）。
【００５４】
メモリは、制御回路７０４の一部である記憶装置７０８として提供される電子記憶デバイスであってもよい。本明細書で参照されるように、語句「電子記憶デバイス」または「記憶デバイス」とは、ランダム−アクセスメモリ、読取専用メモリ、ハードドライブ、光学ドライブ、デジタルビデオディスク（ＤＶＤ）レコーダ、コンパクトディスク（ＣＤ）レコーダ、ＢＬＵ−ＲＡＹ（登録商標）ディスク（ＢＤ）レコーダ、ＢＬＵ−ＲＡＹ（登録商標）３Ｄディスクレコーダ、デジタルビデオレコーダ（ＤＶＲ、時として、パーソナルビデオレコーダと呼ばれる場合もある、またはＰＶＲ）、固体デバイス、量子記憶デバイス、ゲームコンソール、ゲームメディア、もしくは任意の他の好適な固定またはリムーバブル記憶デバイス、および／または任意のそれらの組み合わせ等の、電子データ、コンピュータソフトウェア、またはファームウェアを記憶するための任意のデバイスを意味すると理解されたい。記憶装置７０８は、本明細書に説明される種々のタイプのコンテンツ、ならびに前述のメディアガイダンスデータを記憶するために使用されてもよい。不揮発性メモリも、（例えば、ブートアップルーチンや他の命令を起動するために）使用されてもよい。図８に関連して説明されるクラウドベースの記憶装置が、記憶装置７０８を補完するために、または記憶装置７０８の代わりに使用されてもよい。
【００５５】
制御回路７０４は、ビデオ生成回路および同調回路、例えば、１つ以上のアナログチューナ、１つ以上のＭＰＥＧ−２デコーダ、または他のデジタルデコード回路、高解像度チューナ、または任意の他の好適な同調もしくはビデオ回路、もしくはそのような回路の組み合わせ等を含んでもよい。エンコード回路（例えば、無線、アナログ、またはデジタル信号を記憶のためにＭＰＥＧ信号に変換するためのもの）も設けられていてもよい。制御回路７０４はまた、コンテンツをユーザ機器７００の好ましい出力形式に上方変換および下方変換するためのスケーリング回路を含んでもよい。回路７０４はまた、デジタルおよびアナログ信号間で変換するためのデジタルからアナログへの変換回路ならびにアナログからデジタルへの変換回路を含んでもよい。同調およびエンコード回路は、コンテンツを受信して表示する、再生する、または録画するために、ユーザ機器デバイスによって使用されてもよい。同調およびエンコード回路はまた、ガイダンスデータを受信するために使用されてもよい。例えば、同調、ビデオ生成、エンコード、デコード、暗号化、解読、スケーリング、およびアナログ／デジタル回路を含む、本明細書に説明される回路は、１つ以上の汎用または特殊プロセッサ上で動作するソフトウェアを使用して実装されてもよい。複数のチューナが、同時同調機能（例えば、視聴および録画機能、ピクチャインピクチャ（ＰＩＰ）機能、多重チューナ録画機能等）に対処するように提供されてもよい。記憶装置７０８が、ユーザ機器７００とは別のデバイスとして設けられる場合、同調およびエンコード回路（複数のチューナを含む）は、記憶装置７０８と関連付けられてもよい。
【００５６】
ユーザは、ユーザ入力インターフェース７１０を使用して命令を制御回路７０４に送信してもよい。ユーザ入力インターフェース７１０は、任意の好適なユーザインターフェース、例えば、リモートコントロール、マウス、トラックボール、キーパッド、キーボード、タッチ画面、タッチパッド、スタイラス入力、ジョイスティック、音声認識インターフェース、または他のユーザ入力インターフェース等であってもよい。ディスプレイ７１２は、独立型デバイスとして提供されるか、またはユーザ機器デバイス７００の他の要素と統合してもよい。例えば、ディスプレイ７１２は、タッチスクリーンまたはタッチセンサ式表示であってもよい。そのような状況では、ユーザ入力インターフェース７１０は、ディスプレイ７１２と統合される、または組み合わせられてもよい。ディスプレイ７１２は、モニタ、テレビ、モバイルデバイスのための液晶ディスプレイ（ＬＣＤ）、非晶質シリコンディスプレイ、低温ポリシリコンディスプレイ、電子インクディスプレイ、電気泳動ディスプレイ、アクティブマトリクスディスプレイ、電気湿潤ディスプレイ、電気流体ディスプレイ、ブラウン管ディスプレイ、発光ダイオードディスプレイ、エレクトロルミネセントディスプレイ、プラズマ表示パネル、高性能アドレッシングディスプレイ、薄膜トランジスタディスプレイ、有機発光ダイオードディスプレイ、表面伝導型電子放出素子ディスプレイ（ＳＥＤ）、レーザテレビ、カーボンナノチューブ、量子ドットディスプレイ、干渉変調器ディスプレイ、または視覚的画像を表示するための任意の他の好適な機器のうちの１つ以上のものであってもよい。いくつかの実施形態では、ディスプレイ７１２は、ＨＤＴＶ対応型であってもよい。いくつかの実施形態では、ディスプレイ７１２は、３Ｄ表示であってもよく、双方向メディアガイダンスアプリケーションおよび任意の好適なコンテンツは、３Ｄで表示されてもよい。ビデオカードまたはグラフィックカードは、ディスプレイ７１２への出力を生成してもよい。ビデオカードは、３Ｄシーンおよび２Ｄグラフィックの加速されたレンダリング、ＭＰＥＧ−２／ＭＰＥＧ−４デコード、ＴＶ出力、または複数のモニタを接続する能力等の種々の機能をもたらしてもよい。ビデオカードは、制御回路７０４に関連する前述のいずれの処理回路であってもよい。ビデオカードは、制御回路７０４と統合されてもよい。スピーカ７１４は、ユーザ機器デバイス７００の他の要素との統合として提供されてもよく、または独立型ユニットであってもよい。ディスプレイ７１２上に表示されるビデオおよび他のコンテンツのオーディオコンポーネントは、スピーカ７１４を通して再生されてもよい。いくつかの実施形態では、音声は、音声を処理してスピーカ７１４を介して出力する受信機（図示せず）に配信されてもよい。
【００５７】
ガイダンスアプリケーションは、どのような好適なアーキテクチャを使用して実装されてもよい。例えば、それは、ユーザ機器デバイス７００上で完全に実装される独立型アプリケーションであってもよい。そのようなアプローチでは、アプリケーションの命令は、ローカルに記憶され（例えば、記憶装置７０８内に記憶され）、アプリケーションによって使用するためのデータは、周期的に（例えば、帯域外フィードから、インターネットリソースから、または別の好適なアプローチを使用して）ダウンロードされる。制御回路７０４は、記憶装置７０８からアプリケーションの命令を読み出し、本明細書で議論される表示のいずれかを生成するための命令を処理してもよい。処理された命令に基づいて、制御回路７０４は、入力が入力インターフェース７１０から受信されたときにどんなアクションを行うべきかを判定してもよい。例えば、入力インターフェース７１０が上／下ボタンが選択されたことを示すときに、表示上のカーソルの上／下への移動が処理された命令によって示されてもよい。
【００５８】
いくつかの実施形態では、メディアガイダンスアプリケーションは、クライアントサーバベースのアプリケーションである。ユーザ機器デバイス７００上に実装されたシッククライアントまたはシンクライアントによって使用するためのデータは、ユーザ機器デバイス７００の遠隔にあるサーバに要求を発行することによってオンデマンドで読み出される。クライアントサーバベースのガイダンスアプリケーションの一実施例では、制御回路７０４は、遠隔サーバによって提供されるウェブページを解釈するウェブブラウザを動作させる。例えば、遠隔サーバは、記憶デバイス内にアプリケーションのための命令を記憶してもよい。遠隔サーバは、回路（例えば、制御回路７０４）を使用して、記憶された命令を処理し、前述および後述の表示を生成してもよい。クライアントデバイスは、遠隔サーバによって生成される表示を受信し、表示の内容を機器デバイス７００上でローカルに表示してもよい。このように、命令の処理は、サーバによって遠隔で行われ、その一方で、結果として生じる表示は、機器デバイス７００上にローカルに提供される。機器デバイス７００は、入力インターフェース７１０を介してユーザからの入力を受信し、対応する表示を処理して生成するために、それらの入力を遠隔サーバに伝送してもよい。例えば、機器デバイス７００は、上／下ボタンが入力インターフェース７１０を介して選択されたことを示す通信を遠隔サーバに伝送してもよい。遠隔サーバは、その入力に従って命令を処理し、入力に対応するアプリケーションの表示（例えば、カーソルを上／下に移動させる表示）を生成してもよい。生成された表示は、次いで、ユーザへの提示のために機器デバイス７００に伝送される。
【００５９】
いくつかの実施形態では、メディアガイダンスアプリケーションは、ダウンロードされ、インタープリタによって解釈されるか、あるいは（制御回路７０４によって動作させられる）仮想マシンにより別の方法で動作させられる。いくつかの実施形態では、ガイダンスアプリケーションは、ＥＴＶバイナリ交換形式（ＥＢＩＦ）でエンコードされており、好適なフィードの一部として制御回路７０４によって受信されて、制御回路７０４上で動作するユーザエージェントによって解釈されてもよい。例えば、ガイダンスアプリケーションは、ＥＢＩＦアプリケーションであってもよい。いくつかの実施形態では、ガイダンスアプリケーションは、制御回路７０４によって実行されるローカル仮想マシンまたは他の好適なミドルウェアによって受信されて動作させられる一連のＪＡＶＡ（登録商標）ベースのファイルによって定義されてもよい。そのような実施形態のうちのいくつか（例えば、ＭＰＥＧ−２または他のデジタルメディアエンコードスキームを採用するもの）では、ガイダンスアプリケーションは、例えば、番組のＭＰＥＧオーディオおよびビデオパケットを用いたＭＰＥＧ−２オブジェクトカルーセルでエンコードされて伝送されてもよい。
【００６０】
図７のユーザ機器デバイス７００は、ユーザテレビ機器８０２、ユーザコンピュータ機器８０４、無線ユーザ通信デバイス８０６、または非携帯型ゲーム機等のコンテンツにアクセスするために好適な任意の他のタイプのユーザ機器として、図８のシステム８００に実装することができる。簡単にするために、これらのデバイスは、本明細書では総称して、ユーザ機器またはユーザ機器デバイスと称されてもよく、前述のユーザ機器デバイスに実質的に類似してもよい。メディアガイダンスアプリケーションが実装され得るユーザ機器デバイスは、独立型デバイスとして機能してもよく、またはデバイスのネットワークの一部であってもよい。デバイスの種々のネットワーク構成が実装されてもよく、以下でさらに詳細に議論されている。
【００６１】
図７に関連して前述のシステム特徴のうちの少なくともいくつかを利用するユーザ機器デバイスは、もっぱら、ユーザテレビ機器８０２、ユーザコンピュータ機器８０４、または無線ユーザ通信デバイス８０６に分類されている必要はない。例えば、ユーザテレビ機器８０２は、ユーザコンピュータ機器８０４のように、インターネットコンテンツへアクセスすることを可能にするインターネット対応型であってもよく、その一方で、ユーザコンピュータ機器８０４は、テレビ機器８０２のように、テレビ番組へアクセスすることを可能にするチューナを含んでもよい。メディアガイダンスアプリケーションはまた、種々の異なるタイプのユーザ機器上で同一レイアウトを有してもよく、またはユーザ機器の表示能力に合わせられてもよい。例えば、ユーザコンピュータ機器８０４上では、ガイダンスアプリケーションは、ウェブブラウザによってアクセスされるウェブサイトとして提供されてもよい。別の実施例では、ガイダンスアプリケーションは、無線ユーザ通信デバイス８０６用に縮小されてもよい。
【００６２】
システム８００では、典型的には、各タイプのユーザ機器デバイスが２つ以上存在するが、図面が複雑になり過ぎることを回避するために、それぞれ１つだけが図８に示されている。加えて、各ユーザは、２以上のタイプのユーザ機器デバイスを利用し、しかも、各タイプの２以上のユーザ機器デバイスを利用してもよい。
【００６３】
いくつかの実施形態では、ユーザ機器デバイス（例えば、ユーザテレビ機器８０２、ユーザコンピュータ機器８０４、無線ユーザ通信デバイス８０６）は、「第２の画面デバイス」と称されてもよい。例えば、第２の画面デバイスは、第１のユーザ機器デバイス上に提示されるコンテンツを補完してもよい。第２の画面デバイス上に提示されるコンテンツは、第１のデバイス上に提示されるコンテンツを補完する任意の好適なコンテンツであってもよい。いくつかの実施形態では、第２の画面デバイスは、第１のデバイスの設定および表示の好みを調節するためのインターフェースを提供する。いくつかの実施形態では、第２の画面デバイスは、他の第２の画面デバイスと情報のやりとりをする、またはソーシャルネットワークと情報のやりとりをするために構成される。第２の画面デバイスは、第１のデバイスと同一の部屋内に、第１のデバイスと異なる部屋であるが同一の家または建物内、もしくは第１のデバイスと異なる建物内に設置され得る。
【００６４】
ユーザはまた、家庭内デバイスおよび遠隔デバイスにわたって一貫したメディアガイダンスアプリケーション設定を維持するように、種々の設定を行ってもよい。設定は、本明細書に記載されている設定、ならびにお気に入りのチャンネルおよび番組、番組を推奨するためにガイダンスアプリケーションが利用する番組の好み、表示の好み、および他の望ましいガイダンス設定を含む。例えば、ユーザが、オフィスのパソコンで、例えば、ウェブサイトｗｗｗ．ａｌｌｒｏｖｉ．ｃｏｍの上で、チャンネルをお気に入りとして設定した場合、必要であれば、同一のチャンネルが、ユーザの家庭内デバイス（例えば、ユーザテレビ機器およびユーザコンピュータ機器）、ならびにユーザのモバイルデバイス上でお気に入りとして表示される。したがって、同一または異なるタイプのユーザ機器デバイスであるかどうかにかかわらず、１つのユーザ機器デバイス上で行われる変更は、別のユーザ機器デバイス上のガイダンス体験を変更することができる。加えて、行われる変更は、ユーザによる設定入力、ならびにガイダンスアプリケーションによって監視されるユーザ動作に基づいてもよい。
【００６５】
ユーザ機器デバイスは、通信ネットワーク８１４に連結されてもよい。すなわち、ユーザテレビ機器８０２、ユーザコンピュータ機器８０４、および無線ユーザ通信デバイス８０６は、それぞれ、通信パス８０８、８１０、および８１２を介して、通信ネットワーク８１４に結合されている。通信ネットワーク８１４は１つ以上のネットワークであってもよく、１つ以上のネットワークは、インターネット、携帯電話ネットワーク、モバイルボイスまたはデータネットワーク（例えば、４ＧまたはＬＴＥネットワーク）、ケーブルネットワーク、公衆交換電話ネットワーク、または他のタイプの通信ネットワーク、もしくは通信ネットワークの組み合わせを含む。パス８０８、８１０、および８１２は、それぞれ別々にまたはそれらの全体で、１つ以上の通信パス、例えば、衛星パス、光ファイバパス、ケーブルパス、インターネット通信をサポートするパス（例えば、ＩＰＴＶ）、フリースペース接続（例えば、放送または他の無線信号用）、もしくは任意の他の好適な有線または無線通信パス、もしくはそのようなパスの組み合わせ等を含んでもよい。パス８１２は、図８に示された例示的実施形態において、無線パスであることを示すように破線で描かれ、パス８０８および８１０は、有線パスであることを示すように実線で描かれている（しかし、これらのパスは、必要に応じて、無線パスであってもよい）。ユーザ機器デバイスとの通信は、１つ以上のこれらの通信パスによって提供されてもよいが、図８では、図面が複雑になり過ぎることを回避するために、単一パスとして示されている。
【００６６】
通信パスは、ユーザ機器デバイスの間には描かれていないが、これらのデバイスは、相互に通信パスを介して直接通信してもよく、通信パスは、例えば、パス８０８、８１０、および８１２に関連して上述されたもの、ならびに他の短距離ポイントツーポイント通信パス、例えば、ＵＳＢケーブル、ＩＥＥＥ１３９４ケーブル、無線パス（例えば、ブルートゥース（登録商標）、赤外線、ＩＥＥＥ８０２−１１ｘ等）等、もしくは有線または無線パスを介した他の短距離通信である。ＢＬＵＥＴＯＯＴＨ（登録商標）は、ブルートゥース（登録商標）  エス  アイ  ジー，インク．によって所有される認証マークである。ユーザ機器デバイスはまた、通信ネットワーク８１４を介した間接的パスを通して直接相互に通信してもよい。
【００６７】
システム８００は、それぞれ、通信パス８２０および８２２を介して通信ネットワーク８１４に連結されるコンテンツソース８１６およびメディアガイダンスデータソース８１８を含む。パス８２０および８２２は、パス８０８、８１０、ならびに８１２に関して上述された通信パスのうちのいずれかを含んでもよい。コンテンツソース８１６およびメディアガイダンスデータソース８１８との通信は、１つ以上の通信パスを介して交信されてもよいが、図８では、図面が複雑になり過ぎることを回避するために、単一パスとして示されている。加えて、コンテンツソース８１６およびメディアガイダンスデータソース８１８のそれぞれが１つ以上あってもよいが、図８では、図面が複雑になり過ぎることを回避するために、それぞれ１つだけが示されている。（これらのソースのそれぞれの異なるタイプを以下で議論する）。必要に応じて、コンテンツソース８１６およびメディアガイダンスデータソース８１８は、１つのソースデバイスとして統合されてもよい。ソース８１６および８１８と、ユーザ機器デバイス８０２、８０４、ならびに８０６との間の通信は、通信ネットワーク８１４を通したものとして示されているが、いくつかの実施形態では、ソース８１６および８１８は、通信パス（図示せず）、例えば、パス８０８、８１０、ならびに８１２に関連して上述されたもの等を介して、ユーザ機器デバイス８０２、８０４、および８０６と直接通信してもよい。
【００６８】
コンテンツソース８１６は、１つ以上のタイプのコンテンツ配信機器を含んでいてもよく、１つ以上のタイプのコンテンツ配信機器は、テレビ配信施設、ケーブルシステムヘッドエンド、衛星配信施設、番組ソース（例えば、ＮＢＣ、ＡＢＣ、ＨＢＯ等のテレビ放送会社）、中間配信施設および／またはサーバ、インターネットプロバイダ、オンデマンドメディアサーバ、および他のコンテンツプロバイダを含む。ＮＢＣは、ナショナル  ブロードキャスチング  カンパニー，インク．によって所有される商標であり、ＡＢＣは、アメリカン  ブロードキャスティング  カンパニー，インク．によって所有される商標であり、ＨＢＯは、ホーム  ボックス  オフィス，インク．によって所有される商標である。コンテンツソース８１６は、コンテンツの発信元であってもよく、例えば、テレビ放送会社、ウェブキャストプロバイダ等であり、またはコンテンツの発信元でなくてもよく、例えば、オンデマンドコンテンツプロバイダ、ダウンロード用放送番組のコンテンツのインターネットプロバイダ等である。コンテンツソース８１６は、ケーブルソース、衛星プロバイダ、オンデマンドプロバイダ、インターネットプロバイダ、オーバーザトップコンテンツプロバイダ、または他のコンテンツのプロバイダを含んでもよい。コンテンツソース８１６はまた、ユーザ機器デバイスのいずれからも遠隔の場所にある、異なるタイプのコンテンツ（ユーザによって選択されるビデオコンテンツを含む）を記憶するために使用される遠隔メディアサーバを含んでもよい。コンテンツの遠隔記憶のためのシステムおよび方法であって、遠隔に記憶されたコンテンツをユーザ機器に提供するためのシステムおよび方法は、全体として参照することにより本明細書に組み込まれる、２０１０年７月２０日出願のＥｌｌｉｓらの米国特許出願第７，７６１，８９２号に関連して、さらに詳細に議論される。
【００６９】
メディアガイダンスデータソース８１８は、前述のメディアガイダンスデータ等のメディアガイダンスデータを提供してもよい。メディアガイダンスデータは、任意の好適なアプローチを使用してユーザ機器デバイスに提供されてもよい。いくつかの実施形態では、ガイダンスアプリケーションは、データフィード（例えば、継続フィードまたはトリクルフィード）により番組ガイドデータを受信する独立型双方向テレビ番組ガイドであってもよい。番組スケジューリングデータおよび他のガイダンスデータは、テレビチャンネルのサイドバンド上で、帯域内デジタル信号を使用して、帯域外デジタル信号を使用して、または任意の他の好適なデータ伝送技術によって、ユーザ機器に提供されてもよい。番組スケジューリングデータおよび他のメディアガイダンスデータは、複数のアナログまたはデジタルテレビチャンネルでユーザ機器に提供されてもよい。
【００７０】
いくつかの実施形態では、メディアガイダンスデータソース８１８からのガイダンスデータは、クライアントサーバアプローチを使用してユーザの機器に提供されてもよい。例えば、ユーザ機器デバイスは、メディアガイダンスデータをサーバからプルしてもよく、またはサーバは、メディアガイダンスデータをユーザ機器デバイスにプッシュしてもよい。いくつかの実施形態では、ユーザの機器上に常駐するガイダンスアプリケーションクライアントは、必要に応じて、例えば、ガイダンスデータが古くなっているとき、またはユーザ機器デバイスがデータを受信する要求をユーザから受信したとき、ソース８１８とセッションを開始し、ガイダンスデータを取得してもよい。メディアガイダンスは、任意の好適な頻度で（例えば、継続的に、毎日、ユーザ指定期間に、システム指定期間にユーザ機器からの要求に応答して）ユーザ機器に提供されてもよい。メディアガイダンスデータソース８１８は、ユーザ機器デバイス８０２、８０４、および８０６に、メディアガイダンスアプリケーション自体を、またはメディアガイダンスアプリケーションためのソフトウェア更新情報を提供してもよい。
【００７１】
いくつかの実施形態では、メディアガイダンスデータは、視聴者のデータを含んでもよい。例えば、視聴者のデータは、現在および／または履歴ユーザアクティビティ情報（例えば、ユーザが典型的に見るコンテンツ、ユーザがコンテンツを見る時刻、ユーザがソーシャルネットワークと情報のやりとりをするかどうか、ユーザがソーシャルネットワークと情報のやりとりをし、情報をポストする時間、ユーザが典型的に見るコンテンツのタイプ（例えば、有料ＴＶまたは無料ＴＶ）、気分、脳の活動情報等）を含んでもよい。メディアガイダンスデータはまた、サブスクライブデータを含んでもよい。例えば、サブスクライブデータは、所与のユーザがサブスクライブする（利用する）ソースまたはサービスおよび／または所与のユーザが以前にサブスクライブしていたが、後にアクセスを打ち切ったソースまたはサービスを識別してもよい（例えば、ユーザがプレミアムチャンネルにサブスクライブしているかどうか、ユーザがプレミアムレベルのサービスを追加したかどうか、ユーザがインターネット速度を加速させたかどうか）。いくつかの実施形態では、視聴者のデータおよび／またはサブスクライブデータは、１年を上回る周期の間の所与のユーザのパターンを識別してもよい。メディアガイダンスデータは、所与のユーザがサービス／ソースへのアクセスを打ち切る可能性を示すスコアを生成するために使用されるモデル（例えば、残存者モデル）を含んでもよい。例えば、メディアガイダンスアプリケーションは、所与のユーザが特定のサービスまたはソースへのアクセスを打ち切るかどうかの可能性を示す値またはスコアを生成するためのモデルを用いて視聴者のデータをサブスクライブデータとともに処理してもよい。特に、より高いスコアは、ユーザが特定のサービスまたはソースへのアクセスを打ち切るより高いレベルの信頼性を示し得る。スコアに基づいて、メディアガイダンスアプリケーションは、ユーザがアクセスを打ち切る可能性が高いものとしてスコアによって示される特定のサービスまたはソースをユーザが維持するように勧誘する宣伝を生成してもよい。
【００７２】
メディアガイダンスアプリケーションは、例えば、ユーザ機器デバイス上に実装される独立型アプリケーションであってもよい。例えば、メディアガイダンスアプリケーションは、記憶装置７０８内に記憶されてユーザ機器デバイス７００の制御回路７０４によって実行され得るソフトウェアまたは実行可能命令のセットとして実装されてもよい。いくつかの実施形態では、メディアガイダンスアプリケーションは、クライアント−サーバアプリケーションであってもよく、その場合、クライアントアプリケーションのみユーザ機器デバイス上に常駐し、サーバアプリケーションは遠隔サーバ上に常駐する。例えば、メディアガイダンスアプリケーションは、部分的に、ユーザ機器デバイス７００の制御回路７０４上にクライアントアプリケーションとして実装され、部分的に遠隔サーバ上に、遠隔サーバの制御回路（例えば、メディアガイダンスデータソース８１８）上で動作するサーバアプリケーションとして実装されてもよい。遠隔サーバの制御回路（メディアガイダンスデータソース８１８等）によって実行されると、メディアガイダンスアプリケーションは、ガイダンスアプリケーション表示を生成し、生成された表示をユーザ機器デバイスに伝送するように制御回路に命令してもよい。サーバアプリケーションは、メディアガイダンスデータソース８１８の制御回路に、ユーザ機器での記憶のためのデータを伝送するように命令してもよい。クライアントアプリケーションは、受信用ユーザ機器の制御回路に、ガイダンスアプリケーション表示を生成するように命令してもよい。
【００７３】
ユーザ機器デバイス８０２、８０４、および８０６に配信されるコンテンツならびに／またはメディアガイダンスデータは、オーバーザトップ（ＯＴＴ）コンテンツであってもよい。ＯＴＴコンテンツ配信は、前述の任意のユーザ機器デバイスを含むインターネット対応型ユーザデバイスが、ケーブルまたは衛星接続を経由して受信されるコンテンツに加え、前述の任意のコンテンツを含む、インターネットを経由して転送されるコンテンツを受信することを可能にする。ＯＴＴコンテンツは、インターネットサービスプロバイダ（ＩＳＰ）によって提供されるインターネット接続を介して配信されるが、第三者がコンテンツを配信する。ＩＳＰは、視聴能力、著作権、またはコンテンツの再配信に関与していなくてもよく、ＯＴＴコンテンツプロバイダによって提供されるＩＰパケットのみ転送してもよい。ＯＴＴコンテンツプロバイダの実施例として、ＩＰパケットを介して、オーディオおよびビデオを提供する、ＹＯＵＴＵＢＥ（登録商標）、ＮＥＴＦＬＩＸ、およびＨＵＬＵが挙げられる。Ｙｏｕｔｕｂｅは、グーグル  インク．によって所有される商標であり、Ｎｔｆｌｉｘは、ネットフリックス  インク．によって所有される商標であり、Ｈｕｌｕは、フールー，ＬＬＣ．によって所有される商標である。ＯＴＴコンテンツプロバイダは、加えて、または代わりに、前述のメディアガイダンスデータを提供してもよい。コンテンツおよび／またはメディアガイダンスデータに加え、ＯＴＴコンテンツのプロバイダは、メディアガイダンスアプリケーション（例えば、ウェブベースのアプリケーションまたはクラウドベースのアプリケーション）を配信することができ、またはコンテンツはユーザ機器デバイス上に記憶されるメディアガイダンスアプリケーションによって表示されることができる。
【００７４】
メディアガイダンスシステム８００は、いくつかのアプローチまたはネットワーク構成を例証することを意図しており、これによって、ユーザ機器デバイスならびにコンテンツおよびガイダンスデータのソースは、コンテンツにアクセスしてメディアガイダンスを提供する目的で、相互に通信してもよい。本明細書に説明される実施形態は、これらのアプローチの任意の１つまたは一部において、もしくはコンテンツを配信してメディアガイダンスを提供するための他のアプローチを採用するシステムにおいて、適用されてもよい。以下の４つのアプローチは、図８の汎用実施例の具体的例証を提供する。
【００７５】
あるアプローチでは、ユーザ機器デバイスは、ホームネットワーク内で相互に通信してもよい。ユーザ機器デバイスは、上述された短距離ポイントツーポイント通信方式を介して、ホームネットワーク上に提供されるハブまたは他の類似デバイスを通した間接パスを介して、もしくは通信ネットワーク８１４を介して、直接相互に通信することができる。１つの家庭内の複数の個人のそれぞれが、ホームネットワーク上の異なるユーザ機器デバイスを操作してもよい。結果として、種々のメディアガイダンス情報または設定が、異なるユーザ機器デバイス間で伝達されることが望ましくあり得る。例えば、２００５年７月１１日出願のＥｌｌｉｓらの米国特許公開第２００５／０２５１８２７号でさらに詳細に説明されているように、ホームネットワーク内の異なるユーザ機器デバイス上で、ユーザが一貫したメディアガイダンスアプリケーション設定を維持することが望ましくあり得る。ホームネットワーク内の異なるタイプのユーザ機器デバイスも、相互に通信し、コンテンツを伝送してもよい。例えば、ユーザは、ユーザコンピュータ機器から携帯用ビデオプレーヤまたは携帯用音楽プレーヤにコンテンツを伝送してもよい。
【００７６】
第２のアプローチでは、ユーザは、ユーザがコンテンツにアクセスしてメディアガイダンスを取得するための複数のタイプのユーザ機器を有してもよい。例えば、一部のユーザは、家庭内およびモバイルデバイスによってアクセスされるホームネットワークを有してもよい。ユーザは、遠隔デバイス上に実装されるメディアガイダンスアプリケーションを介して家庭内デバイスを制御してもよい。例えば、ユーザは、オフィスのパーソナルコンピュータ、もしくはＰＤＡまたはウェブ対応携帯電話等のモバイルデバイスを介して、ウェブサイト上のオンラインメディアガイダンスアプリケーションにアクセスしてもよい。ユーザは、オンラインガイダンスアプリケーション上で種々の設定（例えば、録画、リマインダ、または他の設定）を設定して、ユーザの家庭内機器を制御してもよい。オンラインガイドは、直接、またはユーザの家庭内機器上のメディアガイダンスアプリケーションと通信することによって、ユーザの機器を制御してもよい。ユーザ機器デバイスが互いに離れた場所にある場合のユーザ機器デバイスの通信のための種々のシステムおよび方法は、例えば、その全体を参照することにより本明細書に組み込まれる、Ｅｌｌｉｓらの２０１１年１０月２５日発行の米国特許第８，０４６，８０１号で議論されている。
【００７７】
第３のアプローチでは、家庭内外のユーザ機器デバイスのユーザは、コンテンツソース８１６と直接通信し、コンテンツにアクセスするために、そのメディアガイダンスアプリケーションを使用することができる。具体的には、家庭内では、ユーザテレビ機器８０２およびユーザコンピュータ機器８０４のユーザは、メディアガイダンスアプリケーションにアクセスし、所望のコンテンツ間をナビゲートし、それを特定してもよい。ユーザはまた、無線ユーザ通信デバイス８０６を使用して、家庭外のメディアガイダンスアプリケーションにアクセスし、所望のコンテンツ間をナビゲートし、それを特定してもよい。
【００７８】
第４のアプローチでは、ユーザ機器デバイスは、クラウドコンピューティング環境内で動作し、クラウドサービスにアクセスしてもよい。クラウドコンピューティング環境では、コンテンツの共有、記憶、または配信のための種々のタイプのコンピューティングサービス（例えば、ビデオ共有サイトまたはソーシャルネットワーキングサイト）が、「クラウド」と称される、ネットワーク−アクセス可能コンピューティングおよび記憶リソースの集合によって提供される。例えば、クラウドは、サーバコンピューティングデバイスの集合を含むことができ、サーバコンピューティングデバイスは、中央または分散された場所に位置することができ、クラウドベースのサービスを種々のタイプのユーザ、および通信ネットワーク８１４を介したインターネットなどのネットワークを介して接続されるデバイスに提供する。これらのクラウドリソースは、１つ以上のコンテンツソース８１６および１つ以上のメディアガイダンスデータソース８１８を含んでもよい。加えて、またはその代わりに、遠隔コンピューティングサイトは、ユーザテレビ機器８０２、ユーザコンピュータ機器８０４、および無線ユーザ通信デバイス８０６等の他のユーザ機器デバイスを含んでもよい。例えば、他のユーザ機器デバイスは、ビデオの記憶されたコピーまたはストリーミングされたビデオへのアクセスを提供してもよい。そのような実施形態では、ユーザ機器デバイスは、中心サーバと通信せずに、ピアツーピア方式で動作してもよい。
【００７９】
クラウドは、ユーザ機器デバイスのために、とりわけ、コンテンツ記憶サービス、コンテンツ共有サービス、またはソーシャルネットワーキングサービス等のサービスへのアクセス、ならびに前述の任意のコンテンツへのアクセスを提供する。サービスは、クラウドコンピューティングサービスプロバイダを通して、またはオンラインサービスの他のプロバイダを通して、クラウド内で提供されることができる。例えば、クラウドベースのサービスは、コンテンツ記憶サービス、コンテンツ共有サイト、ソーシャルネットワーキングサイト、または他のサービスを含むことができ、これにより、ユーザ供給コンテンツは、接続されたデバイスでの他者による視聴のために配信される。これらのクラウドベースのサービスは、ユーザ機器デバイスがコンテンツをローカルに記憶し、ローカルに記憶されたコンテンツにアクセスするのではなく、コンテンツをクラウドに記憶し、コンテンツをクラウドから受信することを可能にしてもよい。
【００８０】
ユーザは、カムコーダ、ビデオモード付きデジタルカメラ、オーディオレコーダ、携帯電話、およびハンドヘルドコンピューティングデバイス等の種々のコンテンツ捕捉デバイスを使用してコンテンツを録画してもよい。ユーザは、例えば、コンテンツ捕捉特徴を有するユーザコンピュータ機器８０４または無線ユーザ通信デバイス８０６のいずれかから直接、クラウド上のコンテンツ記憶サービスにコンテンツをアップロードすることができる。その代わりに、ユーザは、最初に、コンテンツをユーザコンピュータ機器８０４等のユーザ機器デバイスに転送することができる。コンテンツを記憶しているユーザ機器デバイスは、通信ネットワーク８１４でデータ伝送サービスを使用してコンテンツをクラウドにアップロードする。いくつかの実施形態では、ユーザ機器デバイス自体がクラウドリソースであり、他のユーザ機器デバイスが、ユーザがコンテンツを記憶したユーザ機器デバイスから直接コンテンツにアクセスすることができる。
【００８１】
クラウドリソースは、例えば、ウェブブラウザ、メディアガイダンスアプリケーション、デスクトップアプリケーション、モバイルアプリケーション、および／またはそれらのアクセスアプリケーションの任意の組み合わせを使用して、ユーザ機器デバイスによってアクセスされてもよい。ユーザ機器デバイスは、アプリケーション配信のためにクラウドコンピューティングに依存するクラウドクライアントであってもよく、またはユーザ機器デバイスは、クラウドリソースへのアクセスを伴わないいくつかの機能を有してもよい。例えば、ユーザ機器デバイス上で動作するいくつかのアプリケーションは、クラウドアプリケーション、すなわち、インターネットを経由してサービスとして配信されるアプリケーションであってもよく、その一方で、他のアプリケーションは、ユーザ機器デバイスに記憶されてユーザ機器デバイスで動作してもよい。いくつかの実施形態では、ユーザデバイスは、コンテンツを複数のクラウドリソースから同時に受信してもよい。例えば、ユーザデバイスは、オーディオを１つのクラウドリソースからストリーミングし、その一方で、コンテンツを第２のクラウドリソースからダウンロードすることができる。または、ユーザデバイスは、より効率的なダウンロードのために、コンテンツを複数のクラウドリソースからダウンロードすることができる。いくつかの実施形態では、ユーザ機器デバイスは、図７に関連して記載された処理回路により行われる処理動作等の処理動作のために、クラウドリソースを使用することができる。
【００８２】
本明細書で参照されるように、用語「〜に応答して」は、「〜の結果として開始される」ことを指す。例えば、第２のアクションに応答して行われている第１のアクションは、第１のアクションと第２のアクションとの間に介在ステップを含んでもよい。本明細書で参照されるように、用語「〜に直接応答して」は、「〜によって引き起こされる」ことを指す。例えば、第２のアクションに直接応答して行われている第１のアクションは、第１のアクションと第２のアクションとの間に介在ステップを含まなくてもよい。
【００８３】
図９は、本開示のいくつかの実施形態による、制御回路（例えば、制御回路７０４）がメディアガイダンスアプリケーションに提示される自然言語クエリのための補助機能を実行するための例証的プロセス９００のフローチャートである。いくつかの実施形態では、本アルゴリズムは、非一時的記憶媒体（例えば、記憶デバイス７０８）上に、処理回路（例えば、処理回路７０６）によってデコードされて実行されるべき命令のセットとしてエンコードされてもよい。処理回路は、制御回路７０４内に含まれる他のサブ回路、例えば、同調、ビデオ生成、エンコード、デコード、暗号化、解読、スケーリング、アナログ／デジタル変換などの回路に順に命令を提供してもよい。
【００８４】
ステップ９０２では、制御回路７０４は、双方向メディアガイダンスアプリケーションに提示される自然言語クエリのための補助機能を実行するためのプロセスを開始する。
【００８５】
ステップ９０４では、制御回路７０４は、ユーザからメディアアセットに関するクエリを受信する。例えば、ユーザは、「映画スカーフェイスを探して」等の自然言語クエリを入力してもよい。
【００８６】
ステップ９０６では、制御回路７０４は、クエリに応答してメディアアセットを表示のために生成する。例えば、制御回路７０４は、メディアアセット「スカーフェイス」のためのメディアアセット識別子を表示のために生成してもよい。
【００８７】
ステップ９０８では、制御回路７０４は、双方向メディアガイダンスアプリケーションのユーザの使用パターンを示すユーザプロファイルを読み出す。
【００８８】
いくつかの実施形態では、双方向メディアガイダンスアプリケーションのユーザの使用パターンを示すユーザプロファイルは、複数のクエリテンプレートおよび対応する複数の補助機能を含む。
【００８９】
いくつかの実施形態では、双方向メディアガイダンスアプリケーションのユーザの使用パターンを示すユーザプロファイルは、複数のクエリテンプレートを含み、遠隔データベースは、複数のクエリテンプレートに対応する複数の補助機能を含む。
【００９０】
ステップ９１０では、制御回路７０４は、ユーザプロファイルがユーザのクエリに合致するクエリテンプレートを含むかどうかを判定する。いくつかの実施形態では、制御回路７０４は、クエリ内の１つ以上のトークンを識別し、ユーザプロファイルが１つ以上のトークンの少なくとも一部に合致するクエリテンプレートを含むかどうかを判定することによって、ユーザプロファイルがユーザのクエリに合致するクエリテンプレートを含むかどうかを判定する。
【００９１】
ユーザプロファイルが、ユーザのクエリに合致するクエリテンプレートを含むと判定されると、ステップ９１２では、制御回路７０４は、クエリテンプレートに対応する補助機能を識別する。例えば、制御回路７０４は、ユーザプロファイルがユーザのクエリ「映画スカーフェイスを探して」に合致するクエリテンプレート「映画Ｘを探して」を含むことを判定してもよい。制御回路７０４は、ストリーミングサービス上でメディアアセットを検索する補助機能を識別し、ユーザに、ストリーミングサービスからのメディアアセットの利用可能性に関する情報を提供してもよい。
【００９２】
いくつかの実施形態では、制御回路７０４は、ユーザプロファイルからクエリテンプレートに対応する補助機能を識別することによって、クエリテンプレートに対応する補助機能を識別する。
【００９３】
いくつかの実施形態では、制御回路７０４は、遠隔データベースからクエリテンプレートに対応する補助機能を識別することによって、クエリテンプレートに対応する補助機能を識別する。
【００９４】
ステップ９１４では、制御回路７０４は、クエリに応答してメディアアセットを表示のために生成することに続いて補助機能を実行する。例えば、制御回路７０４は、メディアアセット「スカーフェイス」に関するメディアアセット識別子を表示のために生成することに続いて、検索すべき補助機能を実行し、ストリーミングサービスからのメディアアセットの利用可能性についての情報を提供してもよい。
【００９５】
いくつかの実施形態では、制御回路７０４は、メディアアセットおよび補助機能の実行からの出力を含む双方向メディアガイダンス画面を表示のために生成する。例えば、制御回路７０４は、メディアアセット「スカーフェイス」のためのメディアアセット識別子と、ストリーミングサービスからのメディアアセットの利用可能性に関する情報とを含む双方向メディアガイダンス画面を生成してもよい。
【００９６】
いくつかの実施形態では、補助機能は、メディアアセットが利用可能なコンテンツソースを識別するための検索機能を備える。制御回路７０４は、メディアアセットおよびメディアアセットが利用可能なコンテンツソースを含む双方向メディアガイダンス画面を表示のために生成することによって、補助機能の実行からの出力を含む双方向メディアガイダンス画面を表示のために生成する。
【００９７】
いくつかの実施形態では、補助機能は、メディアアセットに関連するガイダンス特徴を識別するための検索機能を備える。制御回路７０４は、メディアアセットおよびメディアアセットに関連するガイダンス特徴を表示のために生成することによって、補助機能の実行からの出力を含む双方向メディアガイダンス画面を表示のために生成する。いくつかの実施形態では、ガイダンス特徴は、メディアアセットの録画要求である。
【００９８】
いくつかの実施形態では、クエリテンプレートは第１のクエリテンプレートと称され、補助機能は第１の補助機能と称される。ユーザプロファイルが、ユーザのクエリに合致するクエリテンプレートを含まないと判定されると、制御回路７０４は、双方向メディアガイダンスアプリケーションの複数のユーザの汎用化された使用パターンを示す汎用プロファイルを読み出す。制御回路７０４は、汎用プロファイルがユーザのクエリに合致する第２のクエリテンプレートを含むかどうかを判定する。
【００９９】
いくつかの実施形態では、汎用プロファイルが、ユーザのクエリに合致する第２のクエリテンプレートを含むと判定されると、制御回路７０４は、第２のクエリテンプレートに対応する第２の補助機能を識別する。制御回路７０４は、クエリに応答してメディアアセットを表示のために生成することに続いて、第２の補助機能を実行する。制御回路７０４は、メディアアセットおよび第２の補助機能の実行からの出力を含む双方向メディアガイダンス画面を表示のために生成する。
【０１００】
図９のステップまたは記載は、本開示の任意の他の実施形態とともに使用され得ることが考慮される。加えて、図９のアルゴリズムに関して説明される説明は、本開示の目的を促進するように、代替的な順序で、または並行して行われてもよい。条件文ならびに論理評価、例えば、ステップ９１０におけるものは、システムまたは方法での遅延を低減させるために、もしくはシステムまたは方法での速度を増加させるために、任意の順序で、または並行して、もしくは同時に行われてもよい。さらなる実施例として、いくつかの実施形態では、いくつかの変数のインスタンスは、複数の論理プロセッサスレッドを使用して、並行して評価されてもよいし、またはアルゴリズムは、分岐予測を組み込むことによって拡張されてもよい。さらに、図９のプロセスは、適切に構成されたソフトウェアおよびハードウェアの組み合わせ上に実装されてもよく、プロセスのうちの１つ以上の部分を実装するために、図７〜８に関して議論されているデバイスまたは機器のいずれかが使用され得ることに留意されたい。
【０１０１】
図１０は、本開示のいくつかの実施形態による、ユーザプロファイルがユーザクエリに合致するクエリテンプレートを含まないときの制御回路（例えば、制御回路７０４）のための例証的プロセス１０００のフローチャートである。いくつかの実施形態では、本アルゴリズムは、非一時的記憶媒体（例えば、記憶デバイス７０８）上に、処理回路（例えば、処理回路７０６）によってデコードされて実行されるべき命令のセットとしてエンコードされてもよい。処理回路は、制御回路７０４内に含有される他のサブ回路、例えば、同調、ビデオ生成、エンコード、デコード、暗号化、解読、スケーリング、アナログ／デジタル変換などの回路に順に命令を提供してもよい。
【０１０２】
ステップ１００２では、制御回路７０４は、ユーザプロファイルがユーザのクエリに合致するクエリテンプレートを含まないときのプロセスを開始する。
【０１０３】
ステップ１００４では、制御回路７０４は、双方向メディアガイダンスアプリケーションの複数のユーザの汎用化された使用パターンを示す汎用プロファイルを読み出す。
【０１０４】
いくつかの実施形態では、双方向メディアガイダンスアプリケーションの複数のユーザの使用パターンを示す汎用プロファイルは、複数のクエリテンプレートおよび対応する複数の補助機能を含む。
【０１０５】
いくつかの実施形態では、双方向メディアガイダンスアプリケーションの複数のユーザの使用パターンを示す汎用プロファイルは、複数のクエリテンプレートを含み、遠隔データベースは、複数のクエリテンプレートに対応する複数の補助機能を含む。
【０１０６】
ステップ１００６では、制御回路７０４は、汎用プロファイルが、ユーザのクエリに合致するクエリテンプレートを含むかどうかを判定する。いくつかの実施形態では、制御回路７０４は、クエリ内の１つ以上のトークンを識別し、汎用プロファイルが１つ以上のトークンの少なくとも一部に合致するクエリテンプレートを含むかどうかを判定することによって、汎用プロファイルがユーザのクエリに合致するクエリテンプレートを含むかどうかを判定する。
【０１０７】
汎用プロファイルが、ユーザのクエリに合致するクエリテンプレートを含む場合、ステップ１００８では、制御回路７０４は、クエリテンプレートに対応する補助機能を識別する。例えば、制御回路７０４は、汎用プロファイルがユーザのクエリ「映画スカーフェイスを探して」に合致するクエリテンプレート「映画Ｘを探して」を含むと判定してもよい。制御回路７０４は、ストリーミングサービス上でメディアアセットを検索する補助機能を識別し、ストリーミングサービスからのメディアアセットの利用可能性に関する情報をユーザに提供してもよい。
【０１０８】
いくつかの実施形態では、制御回路７０４は、汎用プロファイルからクエリテンプレートに対応する補助機能を識別することによって、クエリテンプレートに対応する補助機能を識別する。
【０１０９】
いくつかの実施形態では、制御回路７０４は、遠隔データベースからクエリテンプレートに対応する補助機能を識別することによって、クエリテンプレートに対応する補助機能を識別する。
【０１１０】
ステップ１０１０では、制御回路７０４は、クエリに応答してメディアアセットを表示のために生成することに続いて補助機能を実行する。例えば、制御回路７０４は、表示のためにメディアアセット「スカーフェイス」のためのメディアアセット識別子を表示のために生成することに続いて検索すべき補助機能を実行し、ストリーミングサービスからのメディアアセットの利用可能性についての情報を提供してもよい。
【０１１１】
いくつかの実施形態では、制御回路７０４は、メディアアセットおよび補助機能の実行からの出力を含む双方向メディアガイダンス画面を表示のために生成する。例えば、制御回路７０４は、メディアアセット「スカーフェイス」のためのメディアアセット識別子と、ストリーミングサービスからのメディアアセットの利用可能性に関する情報とを含む双方向メディアガイダンス画面を生成してもよい。
【０１１２】
いくつかの実施形態では、補助機能は、メディアアセットが利用可能なコンテンツソースを識別するための検索機能を備える。制御回路７０４は、メディアアセットおよびメディアアセットが利用可能なコンテンツソースを含む双方向メディアガイダンス画面を表示のために生成することによって、補助機能の実行からの出力を含む双方向メディアガイダンス画面を表示のために生成する。
【０１１３】
いくつかの実施形態では、補助機能は、メディアアセットに関連するガイダンス特徴を識別するための検索機能を備える。制御回路７０４は、メディアアセットおよびメディアアセットに関連するガイダンス特徴を表示のために生成することによって、補助機能の実行からの出力を含む双方向メディアガイダンス画面を表示のために生成する。いくつかの実施形態では、ガイダンス特徴はメディアアセットの録画要求である。
【０１１４】
汎用プロファイルがユーザのクエリに合致するクエリテンプレートを含まない場合、ステップ１０１２では、制御回路７０４は、クエリのための補助機能が利用可能ではないことのインジケーションを返す。
【０１１５】
図１０のステップまたは説明は、本開示の任意の他の実施形態とともに使用され得ることが考慮される。加えて、図１０のアルゴリズムに関して記載されている説明は、本開示の目的を促進するように、代替的な順序で、または並行して行われてもよい。条件文ならびに論理評価、例えば、ステップ１００６におけるものは、システムまたは方法での遅延を低減させる、もしくはシステムまたは方法での速度を増加させるために、任意の順序で、または並行して、もしくは同時に行われてもよい。さらなる実施例として、いくつかの実施形態では、いくつかの変数のインスタンスは、複数の論理プロセッサスレッドを使用して、並行して評価されてもよいし、またはアルゴリズムは、分岐予測を組み込むことによって拡張されてもよい。さらに、図１０のプロセスは、適切に構成されたソフトウェアおよびハードウェアの組み合わせ上に実装されてもよく、プロセスのうちの１つ以上の部分を実装するために、図７〜８に関して議論されているデバイスまたは機器のいずれかが使用され得ることに留意されたい。
【０１１６】
図１１は、本開示のいくつかの実施形態による、制御回路（例えば、制御回路７０４）が、ユーザプロファイルがユーザクエリに合致するクエリテンプレートを含むかどうかを判定するための例証的プロセス１１００のフローチャートである。本プロセスは、本開示のいくつかの実施形態による汎用プロファイルがユーザクエリに合致するクエリテンプレートを含むかどうかを判定するために等しく適用可能であり得る。いくつかの実施形態では、本アルゴリズムは、非一時的記憶媒体（例えば、記憶デバイス７０８）上に、処理回路（例えば、処理回路７０６）によってデコードされて実行されるべき命令のセットとしてエンコードされてもよい。処理回路は、制御回路７０４内に含有される他のサブ回路、例えば、同調、ビデオ生成、エンコード、デコード、暗号化、解読、スケーリング、アナログ／デジタル変換などの回路に順に命令を提供してもよい。
【０１１７】
ステップ１１０２では、制御回路７０４は、ユーザプロファイルがユーザのクエリに合致するクエリテンプレートを含むかどうかを判定するためのプロセスを開始する。例えば、ユーザは、「映画スカーフェイスを探して」等の自然言語クエリを入力してもよい。
【０１１８】
ステップ１１０４では、制御回路７０４は、クエリ内のトークンを識別する。例えば、制御回路７０４は、ユーザのクエリ内のトークン「探して」を識別してもよい。
【０１１９】
ステップ１１０６では、制御回路７０４は、クエリに関するトークンカウントを更新する。例えば、制御回路７０４は、クエリに関するトークンカウントを０から１に更新してもよい。
【０１２０】
ステップ１１０８では、制御回路７０４は、ユーザプロファイルが識別されたトークンを有するクエリテンプレートを含むかどうかを判定する。
【０１２１】
ユーザプロファイルが、識別されたトークンを有するクエリテンプレートを含むと判定されると、ステップ１１１０では、制御回路７０４は、識別されたトークンを含むクエリテンプレート毎に、合致トークンカウントを更新する。制御回路７０４は、続いて、ステップ１１１２に進む。例えば、制御回路７０４は、ユーザプロファイルが識別されたトークン「探して」を有する２つのクエリテンプレートを含むと判定してもよい。２つのクエリテンプレートは、「映画Ｘを探して」および「番組Ｘを探して」であってもよい。
【０１２２】
ユーザプロファイルが、識別されたトークンを有するクエリテンプレートを含まないと判定されると、ステップ１１１２では、制御回路７０４は、分析されるためにクエリ内に残っているトークンがあるかどうかを判定する。例えば、制御回路７０４は、トークンが分析されるためにクエリ内に残っていると判定してもよい。
【０１２３】
トークンが分析されるためにクエリ内に残っている場合、制御回路７０４は、ステップ１１０４に戻り、クエリ内の次のトークンを識別する。例えば、制御回路７０４は、ユーザのクエリ内の次のトークン「映画」を識別してもよい。
【０１２４】
分析されるためにクエリ内に残っているトークンがない場合、ステップ１１１４では、制御回路７０４は、閾値トークンカウントを上回る合致トークンカウントを有するクエリテンプレートがあるかどうかを判定する。閾値トークンカウントは、ユーザのクエリの長さに基づいてもよい。例えば、閾値カウントは、ユーザクエリ「映画スカーフェイスを探して」に関して、１であってもよい。制御回路７０４は、クエリテンプレート「映画Ｘを探して」が、１の閾値トークンカウントを上回る２の合致トークンカウントを有することを判定してもよい。
【０１２５】
クエリテンプレートが、閾値トークンカウントを上回る合致トークンカウントを有すると判定される場合、ステップ１１１６では、制御回路７０４は、最高合致トークンカウントを伴うクエリテンプレートをユーザのクエリに合致するクエリテンプレートとして返す。例えば、制御回路７０４は、クエリテンプレート「映画Ｘを探して」をユーザのクエリに合致するものとして返してもよい。
【０１２６】
クエリテンプレートが、閾値トークンカウントを上回る合致トークンカウントを有していないと判定されると、ステップ１１１８では、制御回路７０４は、ユーザプロファイルがユーザのクエリに合致するクエリテンプレートを含まないことのインジケーションを返す。
【０１２７】
図１１のステップまたは記載は、本開示の任意の他の実施形態とともに使用され得ることが考慮される。加えて、図１１のアルゴリズムに関して説明される説明は、本開示の目的を促進するように、代替的な順序で、または並行して行われてもよい。条件文ならびに論理評価、例えば、１１０８、１１１２、および１１１４におけるものは、システムまたは方法での遅延を低減させるために、もしくはシステムまたは方法での速度を増加させるために、任意の順序で、または並行して、もしくは同時に行われてもよい。さらなる実施例として、いくつかの実施形態では、いくつかの変数のインスタンスは、複数の論理プロセッサスレッドを使用して並行して評価されてもよいし、またはアルゴリズムは、分岐予測を組み込むことによって拡張されてもよい。さらに、図１１のプロセスは、適切に構成されたソフトウェアおよびハードウェアの組み合わせ上に実装されてもよく、プロセスのうちの１つ以上の部分を実装するために、図７〜８に関して議論されたデバイスまたは機器のいずれかが使用され得ることに留意されたい。
【０１２８】
前述のプロセスは、例証であることが意図されており、限定することは意図されていない。当業者は、本明細書で議論されるプロセスのステップが、本発明の範囲から逸脱することなく、省略され、修正され、組み合わせられ、および／または並べ替えされてもよく、どのような付加的ステップが行われてもよいことを理解するであろう。より一般的には、前述の開示は、例示であることが意図されており、限定することは意図されていない。続く請求項のみが、本発明が含むものに関する境界を設定することが意図されている。さらに、いずれか１つの実施形態で説明される特徴および制限は、本明細書の他のいずれの実施形態にも適用され得、一実施形態に関するフローチャートまたは実施例は、好適な様式で他のいずれの実施形態とも組み合わせられ、異なる順序で行われ、または並行して行われ得ることに留意されたい。加えて、本明細書に記載されているシステムおよび方法は、リアルタイムで行われてもよい。また、上記で記載されているシステムおよび／または方法は、他のシステムならびに／もしくは方法に適用され、またはそれらに従って使用され得ることにも留意されたい。
【図１】
2019527385.tif 000003
【図２】
2019527385.tif 000004
【図３】
2019527385.tif 000005
【図４】
2019527385.tif 000006
【図５】
2019527385.tif 000007
【図６】
2019527385.tif 000008
【図７】
2019527385.tif 000009
【図８】
2019527385.tif 000010
【図９】
2019527385.tif 000011
【図１０】
2019527385.tif 000012
【図１１】
2019527385.tif 000013
【国際調査報告】
2019527385.tif 000014
2019527385.tif 000015
2019527385.tif 000016
2019527385.tif 000017